(57)【要約】【課題】書籍の内容を表す書籍データをユーザに提供することで、ユーザ及び書籍管理者の利便性を向上する。【解決手段】書籍用無線タグＴＢは書籍識別情報を記憶し、データベース３０１は書籍データを書籍管理番号と関連付けて記憶し、閲覧装置１００は表示部１０１とＢｌｕｅｔｏｏｔｈ通信制御部１０３を備え、閲覧装置用無線タグＴＶは、閲覧装置１００に備えられ、装置ＩＤを少なくとも記憶し、書籍閲覧サービス装置２００は、閲覧装置用無線タグＴＶからの装置ＩＤ及び書籍用無線タグＴＢからの書籍管理情報を取得し、書籍管理情報に基づき特定される書籍データをデータベース０１より取得し、装置ＩＤに基づき特定される閲覧装置１００に対し、書籍データを出力する。【選択図】図１
2011028469.tif 000002
【特許請求の範囲】
【請求項１】
書籍用無線タグと、データベースと、閲覧装置と、閲覧装置用無線タグと、書籍閲覧サービス装置と、を備えた書籍閲覧サービス提供システムであって、
書籍用無線タグは、
書籍の書籍識別情報を少なくとも記憶し、
データベースは、
書籍の内容を電子化した書籍データを、その書籍に対応する前記書籍識別情報と関連付けて記憶し、
閲覧装置は、
前記書籍データを表示するデータ表示手段、及び、装置外部と前記書籍データを送受可能なデータ送受手段を備え、
閲覧装置用無線タグは、
前記閲覧装置に備えられ、当該閲覧装置を特定する装置識別情報を少なくとも記憶し、
書籍閲覧サービス装置は、
前記書籍用無線タグ及び前記閲覧装置用無線タグに対し、無線通信により情報を送受するためのタグ通信手段と、
前記閲覧装置の前記データ送受手段に対し、無線通信又は有線通信により情報を送受するためのデータ通信手段と、
前記タグ通信手段を介し、前記閲覧装置用無線タグからの前記装置識別情報、及び、少なくとも１つの前記書籍用無線タグからの前記書籍識別情報、を取得する識別情報取得手段と、
前記識別情報取得手段により取得された前記少なくとも１つの書籍識別情報に基づき特定される少なくとも１つの前記書籍データを、前記データベースより取得する書籍データ取得手段と、
前記識別情報取得手段により取得された前記装置識別情報に基づき特定される前記閲覧装置に備えられた前記データ送受手段に対し、前記書籍データ取得手段により取得された前記少なくとも１つの書籍データを、前記データ通信手段を介して出力する、書籍データ出力手段と、
を有することを特徴とする書籍閲覧サービス提供システム。
【請求項２】
前記書籍データ出力手段が、前記書籍データ取得手段により取得された前記少なくとも１つの書籍データの前記データ送受手段への出力が完了する前に、前記識別情報取得手段が、別の前記書籍用無線タグからの別の前記書籍識別情報を取得した場合には、
前記書籍閲覧サービス装置の前記書籍データ取得手段は、
当該別の書籍識別情報に基づき特定される、少なくとも１つの別の前記書籍データを前記データベースより取得し、
前記書籍閲覧サービス装置の前記書籍データ出力手段は、
出力している前記少なくとも１つの書籍データの出力が終了した後、取得した前記少なくとも１つの別の書籍データの出力を行う
ことを特徴とする請求項１記載の書籍閲覧サービス提供システム。
【請求項３】
前記書籍閲覧サービス装置は、
前記書籍データ取得手段により取得された前記少なくとも１つの書籍データを前記書籍データ出力手段が前記データ送受手段へ出力している間は、前記識別情報取得手段による別の前記書籍用無線タグからの前記書籍識別情報の取得を禁止する、取得禁止制御手段をさらに備える
ことを特徴とする請求項１記載の書籍閲覧サービス提供システム。
【請求項４】
前記書籍用無線タグは、
関連付けられた前記書籍の、他の少なくとも１つの書籍とともに形成する書籍グループ内における序列情報をさらに記憶しており、
前記書籍閲覧サービス装置は、
前記タグ通信手段を介し、前記書籍用無線タグからの前記序列情報を取得する序列情報取得手段と、
前記識別情報取得手段により、複数の前記書籍用無線タグから、共通の書籍グループに関する複数の前記序列情報、及び、複数の前記書籍識別情報が取得された場合に、前記複数の書籍識別情報にそれぞれ対応した複数の前記書籍データを、前記複数の序列情報に対応した出力順序に設定するための書籍データ設定手段と、をさらに備え、
前記書籍データ出力手段は、
前記複数の書籍データを、前記書籍データ設定手段により設定された順序で、前記データ通信手段を介して出力する
たことを特徴とする請求項１記載の書籍閲覧サービス提供システム。
【請求項５】
前記書籍データ出力手段による前記少なくとも１つの書籍データの出力に対応して、前記識別情報取得手段により取得された前記装置識別情報に基づき特定される前記閲覧装置用無線タグに対し、前記少なくとも１つの書籍データにより特定される前記少なくとも１つの書籍識別情報、及び、各書籍データの有効期限情報を、前記タグ通信手段を介して出力する、第１情報出力手段をさらに備える
ことを特徴とする請求項１記載の書籍閲覧サービス提供システム。
【請求項６】
前記閲覧装置は、
前記書籍データを、対応する前記書籍識別情報と関連付けて記憶するデータ記憶手段と、前記データ記憶手段に記憶された前記書籍データに対応する前記書籍識別情報と同一の書籍識別情報が、前記閲覧装置用無線タグに記憶されているかを判定する判定手段と、をさらに備えるとともに、
前記データ表示手段は、前記判定手段により、前記同一の書籍識別情報が前記閲覧装置用無線タグに記憶されていると判定された場合に、対応する前記書籍データの表示を行い、
前記書籍閲覧サービス装置は、
前記第１情報出力手段により出力され前記閲覧装置用無線タグに記憶された前記書籍識別情報を実質的に消去する消去指示信号を、前記閲覧装置用無線タグに対し、前記タグ通信手段を介して出力する、消去指示出力手段をさらに備える
ことを特徴とする請求項５記載の書籍閲覧サービス提供システム。
【請求項７】
前記書籍閲覧サービス装置は、
前記書籍データ出力手段による前記書籍データの出力に対応して、前記識別情報取得手段により取得された前記書籍識別情報に基づき特定される前記書籍用無線タグに対し、前記書籍データの有効期限情報を、前記タグ通信手段を介して出力する、第２情報出力手段をさらに備える
ことを特徴とする請求項１記載の書籍閲覧サービス提供システム。
【請求項８】
前記書籍用無線タグは、
前記書籍の背表紙に取り付けられており、
前記タグ通信手段は、
前記背表紙を鉛直方向にして配置される複数の書籍それぞれに設けた前記書籍用無線タグに対し情報送受を行うように、鉛直方向に沿って配置されている
ことを特徴とする請求項１記載の書籍閲覧サービス提供システム。
【請求項９】
書籍の書籍識別情報を少なくとも記憶した書籍用無線タグ、及び、前記書籍の内容を電子化した書籍データを表示する閲覧装置に設けられ、当該閲覧装置を特定する装置識別情報を少なくとも記憶した閲覧装置用無線タグ、に対し、無線通信により情報を送受するためのタグ通信手段と、
前記閲覧装置に対し、無線通信又は有線通信により情報を送受するためのデータ通信手段と、
前記タグ通信手段を介し、前記閲覧装置用無線タグからの前記装置識別情報、及び、少なくとも１つの前記書籍用無線タグからの前記書籍識別情報、を取得する識別情報取得手段と、
前記識別情報取得手段により取得された前記少なくとも１つの書籍識別情報に基づき特定される少なくとも１つの前記書籍データを、複数の前記書籍データを記憶したデータベースより取得する書籍データ取得手段と、
前記識別情報取得手段により取得された前記装置識別情報に基づき特定される前記閲覧装置に対し、前記書籍データ取得手段により取得された前記少なくとも１つの書籍データを、前記データ通信手段を介して出力する、書籍データ出力手段と
を有することを特徴とする書籍閲覧サービス用装置。
【請求項１０】
書籍識別情報を記憶した書籍用無線タグを設けた書籍の内容を閲覧するための閲覧装置であって、
当該閲覧装置を特定する装置識別情報を少なくとも記憶した閲覧装置用無線タグと、
前記書籍の内容を電子化した書籍データを、無線通信又は有線通信により閲覧装置外部と送受可能なデータ送受手段と、
前記閲覧装置用無線タグから送信された前記装置識別情報、及び、前記書籍用無線タグから送信された前記書籍識別情報に基づく、特定の前記書籍データを、前記データ送受手段を介して取得して記憶するデータ記憶手段と、
前記データ記憶手段に記憶された前記書籍データを、１画面ごとに切り替えて表示可能なデータ表示手段と
を有することを特徴とする閲覧装置。
【請求項１１】
前記データ記憶手段は、
前記書籍データを、当該書籍データに対応する前記書籍識別情報と関連付けて記憶しており、
かつ、
前記データ記憶手段に記憶された前記書籍データに対応する前記書籍識別情報と同一の書籍識別情報が、前記閲覧装置用無線タグに記憶されているかを判定する判定手段を設け、
前記データ表示手段は、
前記判定手段により、前記同一の書籍識別情報が前記閲覧装置用無線タグに記憶されていると判定された場合に、対応する前記書籍データの表示を行う
ことを特徴とする請求項１０記載の閲覧装置。
【請求項１２】
前記データ表示手段においてページの切り替えを行うための右側操作手段及び左側操作手段と、
関連付けられる前記書籍が右綴じ書籍であるか左綴じ書籍であるかの綴じ属性情報に基づき、前記データ表示手段に表示される画面をページ進み方向に切り替えるページ送り機能、及び、前記データ表示手段に表示される画面をページ戻り方向に切り替えるページ戻り機能のいずれかを、前記右側操作手段及び前記左側操作手段に選択的に割り当てる割り当て手段と
をさらに備え、
前記データ表示手段は、
前記ページ送り機能又は前記ページ戻り機能が割り当てられた前記右側操作手段又は前記左側操作手段の操作に対応して、前記データ記憶手段に記憶された前記書籍データを、１画面ごとにページを切り替えて表示する
ことを特徴とする請求項１０記載の閲覧装置。
【請求項１３】
書籍用無線タグから書籍の書籍識別情報を無線通信により取得するとともに、書籍データを表示する閲覧装置に設けられた閲覧装置用無線タグから当該閲覧装置を特定する装置識別情報を無線通信により取得する第１手順と、
複数の書籍データを、各書籍データに対応する書籍識別情報と関連付けて記憶したデータベースにアクセスし、前記第１手順で取得した前記書籍識別情報に対応した書籍データを取得する第２手順と、
前記第１手順で取得した前記装置識別情報により特定される前記閲覧装置に対し、前記第２手順で取得した前記書籍データを出力する第３手順と
を有することを特徴とする書籍閲覧サービス提供方法。
【発明の詳細な説明】
【技術分野】
【０００１】
本発明は、書籍の内容を電子化した書籍データをユーザに対して提供するための、書籍閲覧サービス提供システム、書籍閲覧サービス用装置、閲覧装置、及び書籍閲覧サービス提供方法に関する。
【背景技術】
【０００２】
例えば特許文献１に記載のように、従来、テキストや画像の電子データをユーザが閲覧するための閲覧装置が既に知られている。この閲覧装置は、上記電子データを記憶可能な記憶媒体を備えている。この記憶媒体は、予め閲覧装置の外部から入力された上記電子データを記憶する。上記記憶媒体に記憶された電子データに基づき、閲覧装置に備えられた表示手段が、上記テキストや画像を表示する。これにより、ユーザは、上記テキストや画像が記載された書類や書籍を持ち歩かなくても、それら書類や書籍の内容を閲覧することができる。
【先行技術文献】
【特許文献】
【０００３】
【特許文献１】特開２００４−２３３６０３号公報
【発明の概要】
【発明が解決しようとする課題】
【０００４】
辞典、雑誌、文庫、学術書等の種々の書籍を所蔵した図書館が、全国各地に多数設けられている。図書館のユーザが書籍の貸し出しを希望する場合、その書籍を持って図書館の係員の元へ赴く。係員は、当該書籍を取り扱い、所定の貸し出し手続きを行った後、書籍をユーザに渡す。これにより、ユーザは、書籍を所持し、所定の貸出期間の間、所望のタイミングで当該書籍を閲覧することができる。その後、ユーザは、上記貸出期間が終了するまでの間に、再び上記書籍を所持して図書館へ赴く。そして、係員が、当該書籍を取り扱い、所定の返却手続きを行う。返却手続きが終了した書籍は、係員が、書棚の元の収納位置へ戻す。
【０００５】
上記のように、ユーザは、図書館において、書籍そのものを受け取って持ち帰り、書籍の閲覧を行っていた。このため、ユーザは、図書館から自分が閲覧する場所まで重い書籍を持ち運ぶ必要があり、また書籍を読むときにも、痛めたり汚したりしないように注意を払う必要があり、肉体的及び精神的な負担が大きかった。また、貸し出した書籍は返却までの間は不在となるので、管理者である係員が各書籍ごとの不在管理を行う必要があり、そのための労力負担が大きかった。また、係員は、貸し出しの申し出があった書籍をユーザから受け取って所定の貸し出し処理を行った後にユーザに引き渡し、返却時にも書籍をユーザから受け取って所定の返却処理を行う必要があった。このため、貸し出し時にも返却時にも処理にある程度の時間を要し、管理者側がユーザに対しサービスを効率よく提供することが困難であった。
【０００６】
なお、以上は、図書館を例にとって説明したが、図書館以外の書籍貸し出しサービスについても、上記同様の事情があった。図書館以外の書籍貸し出しサービスとしては、貸本屋、漫画喫茶、オフィス内での書類持ち出し、等が考えられる。いずれの場合も、上記従来技術の閲覧装置を活用し、書籍そのものを提供するのではなく、書籍の内容を表す電子データのみをユーザに提供すれば、上記ユーザ及び管理者に対する不便が解消するはずである。しかしながら、そのような技術は、従来、存在しなかった。
【０００７】
本発明の目的は、書籍の内容を表す書籍データをユーザに提供することで、ユーザ及び書籍管理者の利便性を向上できる、書籍閲覧サービス提供システム、書籍閲覧サービス用装置、閲覧装置、及び書籍閲覧サービス提供方法を提供することにある。
【課題を解決するための手段】
【０００８】
上記目的を達成するために、第１の発明は、書籍用無線タグと、データベースと、閲覧装置と、閲覧装置用無線タグと、書籍閲覧サービス装置と、を備えた書籍閲覧サービス提供システムであって、書籍用無線タグは、書籍の書籍識別情報を少なくとも記憶し、データベースは、書籍の内容を電子化した書籍データを、その書籍に対応する前記書籍識別情報と関連付けて記憶し、閲覧装置は、前記書籍データを表示するデータ表示手段、及び、装置外部と前記書籍データを送受可能なデータ送受手段を備え、閲覧装置用無線タグは、前記閲覧装置に備えられ、当該閲覧装置を特定する装置識別情報を少なくとも記憶し、書籍閲覧サービス装置は、前記書籍用無線タグ及び前記閲覧装置用無線タグに対し、無線通信により情報を送受するためのタグ通信手段と、前記閲覧装置の前記データ送受手段に対し、無線通信又は有線通信により情報を送受するためのデータ通信手段と、前記タグ通信手段を介し、前記閲覧装置用無線タグからの前記装置識別情報、及び、少なくとも１つの前記書籍用無線タグからの前記書籍識別情報、を取得する識別情報取得手段と、前記識別情報取得手段により取得された前記少なくとも１つの書籍識別情報に基づき特定される少なくとも１つの前記書籍データを、前記データベースより取得する書籍データ取得手段と、前記識別情報取得手段により取得された前記装置識別情報に基づき特定される前記閲覧装置に備えられた前記データ送受手段に対し、前記書籍データ取得手段により取得された前記少なくとも１つの書籍データを、前記データ通信手段を介して出力する、書籍データ出力手段と、を有することを特徴とする。
【０００９】
本願第１発明においては、各書籍に書籍用無線タグが関連付けられており、書籍データを閲覧するための閲覧装置に閲覧装置用無線タグが設けられている。ユーザが所望の書籍を閲覧したい場合には、当該書籍と自己の保有する閲覧装置とをセットにして、書籍閲覧サービス装置へ持参する。すると、書籍閲覧サービス装置のタグ通信手段の通信範囲内においてタグ通信手段による無線通信が実行され、識別情報手段が、閲覧装置用無線タグに記憶された装置識別情報と、書籍用無線タグに記憶された書籍識別情報を取得する。識別情報取得手段により取得された書籍識別情報を用いて、書籍閲覧サービス装置の書籍データ取得手段がデータベースにアクセスし、当該書籍識別情報により特定される書籍データを取得する。そして、その取得された書籍データを、書籍閲覧サービス装置の書籍データ出力手段が閲覧装置のデータ送受手段へ出力する。このとき、出力先の閲覧装置を特定するために、前述の識別情報取得手段により取得された装置識別情報が、書籍データ出力手段によって用いられる。このようにして、閲覧装置のデータ送受手段より入力された書籍データは、閲覧装置のデータ表示手段によって表示される。
【００１０】
以上のようにして、ユーザは、所望の書籍を選んだ後、その書籍と閲覧装置とを持参するだけで、閲覧装置に対し書籍データの提供を受けることができる。これにより、ユーザは、それ以降、閲覧装置で当該書籍の内容を閲覧することができる。この際、書籍は、書籍データの提供後は元の収納場所に戻され、実際にユーザに対し引き渡される必要はない。したがって、ユーザにとっては重い書籍を持ち運ぶ必要がなく、また読むときに痛めたり汚したりしないように等の配慮も必要なくなり、利便性が向上する。書籍管理者側にとっては、書籍は実際には引き渡さず電子情報のやりとりだけでサービス提供を行えるので、管理負担が低減する。また、サービス提供に要する時間も低減できるので、ユーザに対する書籍の閲覧サービスを効率よく行うことができる。
【００１１】
第２発明は、上記第１発明において、前記書籍データ出力手段が、前記書籍データ取得手段により取得された前記少なくとも１つの書籍データの前記データ送受手段への出力が完了する前に、前記識別情報取得手段が、別の前記書籍用無線タグからの別の前記書籍識別情報を取得した場合には、前記書籍閲覧サービス装置の前記書籍データ取得手段は、当該別の書籍識別情報に基づき特定される、少なくとも１つの別の前記書籍データを前記データベースより取得し、前記書籍閲覧サービス装置の前記書籍データ出力手段は、出力している前記少なくとも１つの書籍データの出力が終了した後、取得した前記少なくとも１つの別の書籍データの出力を行うことを特徴とする。
【００１２】
現実の書籍の貸し出しを受ける場合には、一人のユーザが複数冊の書籍をまとめて借り受けたい場合がある。本願第２発明は、この場合と同様、複数の書籍をユーザが持参し各書籍の書籍データの提供を希望した場合に対応している。前述したように、書籍閲覧サービス装置の識別情報手段が書籍用無線タグから取得した書籍識別情報を用いて、書籍閲覧サービス装置の書籍データ取得手段が対応する書籍データを取得し、書籍閲覧サービス装置の書籍データ出力手段がその書籍データを閲覧装置のデータ送受手段へ出力する。ユーザが複数冊の書籍の書籍データの提供を希望する場合には、１つの書籍について上記の書籍識別情報の取得に基づく書籍データの出力を行いその出力が完了するより前に、別の書籍用無線タグからも別の書籍識別情報が取得される可能性が高い。この場合、本願第３発明では、書籍データ取得手段は、当該別の書籍識別情報に基づいて別の書籍データをデータベースから取得し、上記出力中の書籍データの出力が終了した後に、上記別の書籍データを閲覧装置に出力する。これにより、時間的に無駄のない効率のよい書籍データの処理を実行することができる。
【００１３】
第３発明は、上記第１発明において、前記書籍閲覧サービス装置は、前記書籍データ取得手段により取得された前記少なくとも１つの書籍データを前記書籍データ出力手段が前記データ送受手段へ出力している間は、前記識別情報取得手段による別の前記書籍用無線タグからの前記書籍識別情報の取得を禁止する、取得禁止制御手段をさらに備えることを特徴とする。
【００１４】
本願第３発明では、上記第２発明とは異なり、取得禁止制御手段が、１つの書籍に係わる書籍データの出力が完了する前には、別の書籍に係わる書籍識別情報を取得しないように識別情報取得手段を制御する。これにより、１つの書籍について書籍データ出力手段による書籍データの出力が完了してから、識別情報取得手段による別の書籍に係わる別の書籍識別情報の取得が実行され、さらに書籍データ出力手段による、対応する別の書籍データの取得が実行される。
【００１５】
この結果、ユーザが複数冊の書籍の書籍データの提供を希望する場合であっても、１つの書籍に係わる書籍識別情報の取得から書籍データの閲覧装置への出力までの一連の処理が完了してから、改めて、次の書籍に係わる同様の書籍識別情報の取得から書籍データの閲覧装置への出力までの一連の処理が実行される。これにより、データの誤認識や取り違えなどのない、確実で信頼性の高い書籍データの処理を実行することができる。
【００１６】
第４発明は、上記第１発明において、前記書籍用無線タグは、関連付けられた前記書籍の、他の少なくとも１つの書籍とともに形成する書籍グループ内における序列情報をさらに記憶しており、前記書籍閲覧サービス装置は、前記タグ通信手段を介し、前記書籍用無線タグからの前記序列情報を取得する序列情報取得手段と、前記識別情報取得手段により、複数の前記書籍用無線タグから、共通の書籍グループに関する複数の前記序列情報、及び、複数の前記書籍識別情報が取得された場合に、前記複数の書籍識別情報にそれぞれ対応した複数の前記書籍データを、前記複数の序列情報に対応した出力順序に設定するための書籍データ設定手段と、をさらに備え、前記書籍データ出力手段は、前記複数の書籍データを、前記書籍データ設定手段により設定された順序で、前記データ通信手段を介して出力するたことを特徴とする。
【００１７】
現実の書籍の貸し出しにおいて一人のユーザが複数冊の書籍をまとめて借り受ける場合に、それら複数冊の書籍が互いに１つの書籍グループを形成するように内容的に関連している場合がある。この場合、読者が１冊ずつ読み進んでいくのに対応した、書籍グループ内における各書籍の序列が存在する。これら複数の書籍の書籍データを閲覧装置に出力するときには、上記の序列に沿った順番で書籍データを出力するほうが、閲覧装置側では入力した順番で書籍データを格納しその順番で表示すれば足りるので、その後のユーザの閲覧時の際に便利である。
【００１８】
そこで、本願第４発明においては、各書籍に対応した書籍用無線タグに、書籍グループ内における序列情報を記憶させておく。そして、書籍データ設定手段が、複数の書籍データを、それぞれの序列情報に対応した出力順序となるように設定する。これにより、ユーザは、現実の各書籍を順番に読むのと同様の自然な感覚で、複数の書籍データを順番に読み進むことができる。
【００１９】
第５発明は、上記第１発明において、前記書籍データ出力手段による前記少なくとも１つの書籍データの出力に対応して、前記識別情報取得手段により取得された前記装置識別情報に基づき特定される前記閲覧装置用無線タグに対し、前記少なくとも１つの書籍データにより特定される前記少なくとも１つの書籍識別情報、及び、各書籍データの有効期限情報を、前記タグ通信手段を介して出力する、第１情報出力手段をさらに備えることを特徴とする。
【００２０】
本願第５発明においては、第１情報出力手段により、閲覧装置用無線タグに対し、書籍識別情報や書籍データの有効期限情報を出力し、書き込む。これにより、閲覧装置において、それらの情報を用いてさらに種々のきめ細かい制御を行うことが可能となる。例えば、閲覧装置へ入力済みの書籍データであっても、有効期限が到来した書籍データについては閲覧できないようにデータ表示手段を制御することが可能となる。この場合、有効期限が、実際の書籍の貸し出しにおける返却期限と同様の機能を果たす。また、閲覧に対し課金を行う場合の課金単位として活用することもできる。
【００２１】
また例えば、書籍識別情報と書籍データとを関連付けて閲覧装置内に記憶する場合には、閲覧装置用無線タグに書籍識別情報が記憶されていることを条件に、データ表示手段が表示を行うように制御することも可能となる。この場合、対応する書籍識別情報が閲覧装置用無線タグに記憶されていない書籍データは、たとえ書籍データ自体が閲覧装置内に記憶されていても、表示できないようにすることができる。
【００２２】
第６発明は、上記第５発明において、前記閲覧装置は、前記書籍データを、対応する前記書籍識別情報と関連付けて記憶するデータ記憶手段と、前記データ記憶手段に記憶された前記書籍データに対応する前記書籍識別情報と同一の書籍識別情報が、前記閲覧装置用無線タグに記憶されているかを判定する判定手段と、をさらに備えるとともに、前記データ表示手段は、前記判定手段により、前記同一の書籍識別情報が前記閲覧装置用無線タグに記憶されていると判定された場合に、対応する前記書籍データの表示を行い、前記書籍閲覧サービス装置は、前記第１情報出力手段により出力され前記閲覧装置用無線タグに記憶された前記書籍識別情報を実質的に消去する消去指示信号を、前記閲覧装置用無線タグに対し、前記タグ通信手段を介して出力する、消去指示出力手段をさらに備えることを特徴とする。
【００２３】
これにより、データ記憶手段に記憶された書籍データを消去しなくても、閲覧装置用無線タグに記憶された、当該書籍データに対応した書籍識別情報のみを消去すれば、当該書籍データは表示できなくなる。この結果、ユーザによる書籍データの閲覧禁止処理を、容易に実行することができる。
【００２４】
第７発明は、上記第１発明において、前記書籍閲覧サービス装置は、前記書籍データ出力手段による前記書籍データの出力に対応して、前記識別情報取得手段により取得された前記書籍識別情報に基づき特定される前記書籍用無線タグに対し、前記書籍データの有効期限情報を、前記タグ通信手段を介して出力する、第２情報出力手段をさらに備えることを特徴とする。
【００２５】
本願第７発明においては、第２情報出力手段により、書籍用無線タグに対し、書籍データの有効期限情報を出力し、書き込む。これにより、当該書籍への管理において、その有効期限情報を種々の態様で活用することが可能となる。例えば、各書籍ごとに、既に提供済みの書籍データの有効期限を容易に確認することができる。
【００２６】
第８発明は、上記第１発明において、前記書籍用無線タグは、前記書籍の背表紙に取り付けられており、前記タグ通信手段は、前記背表紙を鉛直方向にして配置される複数の書籍それぞれに設けた前記書籍用無線タグに対し情報送受を行うように、鉛直方向に沿って配置されていることを特徴とする。
【００２７】
これにより、例えば一人のユーザが複数冊の書籍に係わる書籍データの閲覧をまとめて希望する場合には、背表紙を鉛直方向にして複数冊の書籍を配置することで、その鉛直方向に沿ったタグ通信手段により円滑に書籍用無線タグとの情報送受を行うことができる。
【００２８】
上記目的を達成するために、第９発明は、書籍の書籍識別情報を少なくとも記憶した書籍用無線タグ、及び、前記書籍の内容を電子化した書籍データを表示する閲覧装置に設けられ、当該閲覧装置を特定する装置識別情報を少なくとも記憶した閲覧装置用無線タグ、に対し、無線通信により情報を送受するためのタグ通信手段と、前記閲覧装置に対し、無線通信又は有線通信により情報を送受するためのデータ通信手段と、前記タグ通信手段を介し、前記閲覧装置用無線タグからの前記装置識別情報、及び、少なくとも１つの前記書籍用無線タグからの前記書籍識別情報、を取得する識別情報取得手段と、前記識別情報取得手段により取得された前記少なくとも１つの書籍識別情報に基づき特定される少なくとも１つの前記書籍データを、複数の前記書籍データを記憶したデータベースより取得する書籍データ取得手段と、前記識別情報取得手段により取得された前記装置識別情報に基づき特定される前記閲覧装置に対し、前記書籍データ取得手段により取得された前記少なくとも１つの書籍データを、前記データ通信手段を介して出力する、書籍データ出力手段とを有することを特徴とする。
【００２９】
本願第９発明においては、ユーザが所望の書籍を閲覧したい場合には、当該書籍と自己の保有する閲覧装置とをセットにして、書籍閲覧サービス用装置へ持参する。すると、タグ通信手段の通信範囲内においてタグ通信手段による無線通信が実行され、識別情報手段が、閲覧装置に設けた閲覧装置用無線タグに記憶された装置識別情報と、書籍に関連付けられた書籍用無線タグに記憶された書籍識別情報とを取得する。識別情報取得手段により取得された書籍識別情報を用いて、書籍データ取得手段がデータベースにアクセスし、当該書籍識別情報により特定される書籍データを取得する。そして、その取得された書籍データを、書籍データ出力手段が閲覧装置へ出力する。このとき、出力先の閲覧装置を特定するために、前述の識別情報取得手段により取得された装置識別情報が、書籍データ出力手段によって用いられる。このようにして、閲覧装置に入力された書籍データは、閲覧装置によって表示される。
【００３０】
以上のようにして、ユーザは、所望の書籍を選んだ後、その書籍と閲覧装置とを持参するだけで、閲覧装置に対し書籍データの提供を受けることができる。これにより、ユーザは、それ以降、閲覧装置で当該書籍の内容を閲覧することができる。この際、書籍は、書籍データの提供後は元の収納場所に戻され、実際にユーザに対し引き渡される必要はない。したがって、ユーザにとっては重い書籍を持ち運ぶ必要がなく、また読むときに痛めたり汚したりしないように等の配慮も必要なくなり、利便性が向上する。書籍管理者側にとっては、書籍は実際には引き渡さず電子情報のやりとりだけでサービス提供を行えるので、管理負担が低減する。また、またサービス提供に要する時間も低減できるので、ユーザに対する書籍の閲覧サービスを効率よく行うことができる。
【００３１】
上記目的を達成するために、第１０発明は、書籍識別情報を記憶した書籍用無線タグを設けた書籍の内容を閲覧するための閲覧装置であって、当該閲覧装置を特定する装置識別情報を少なくとも記憶した閲覧装置用無線タグと、前記書籍の内容を電子化した書籍データを、無線通信又は有線通信により閲覧装置外部と送受可能なデータ送受手段と、前記閲覧装置用無線タグから送信された前記装置識別情報、及び、前記書籍用無線タグから送信された前記書籍識別情報に基づく、特定の前記書籍データを、前記データ送受手段を介して取得して記憶するデータ記憶手段と、前記データ記憶手段に記憶された前記書籍データを、１画面ごとに切り替えて表示可能なデータ表示手段とを有することを特徴とする。
【００３２】
本願第１０発明においては、各書籍の書籍データを閲覧するための閲覧装置に閲覧装置用無線タグが設けられている。また、書籍にも書籍用無線タグが設けられている。ユーザが閲覧したい書籍と閲覧装置とをセットにして持参すると無線通信が実行され、閲覧装置は、データ送受手段を介し、書籍用無線タグに記憶された書籍識別情報を用いて特定された書籍データを取得することができる。このとき、閲覧装置用無線タグに記憶された装置識別情報は、送信側から当該閲覧装置を特定するために用いられる。取得された書籍データはデータ記憶手段により記憶され、この記憶された書籍データを、データ表示手段が、１画面ごとに切り替えて表示する。
【００３３】
以上のようにして、ユーザは、所望の書籍を選んだ後、その書籍と閲覧装置とを持参するだけで、閲覧装置に対し書籍データの提供を受けることができる。これにより、ユーザは、それ以降、閲覧装置で当該書籍の各ページの内容を閲覧することができる。この際、書籍は、書籍データの提供後は元の収納場所に戻され、実際にユーザに対し引き渡される必要はない。したがって、ユーザにとっては重い書籍を持ち運ぶ必要がなく、また読むときに痛めたり汚したりしないように等の配慮も必要なくなり、利便性が向上する。書籍管理者側にとっては、書籍は実際には引き渡さず電子情報のやりとりだけでサービス提供を行えるので、管理負担が低減する。また、サービス提供に要する時間も低減できるので、ユーザに対する書籍の閲覧サービスを効率よく行うことができる。
【００３４】
第１１発明は、上記第１０発明において、前記データ記憶手段は、前記書籍データを、当該書籍データに対応する前記書籍識別情報と関連付けて記憶しており、かつ、前記データ記憶手段に記憶された前記書籍データに対応する前記書籍識別情報と同一の書籍識別情報が、前記閲覧装置用無線タグに記憶されているかを判定する判定手段を設け、前記データ表示手段は、前記判定手段により、前記同一の書籍識別情報が前記閲覧装置用無線タグに記憶されていると判定された場合に、対応する前記書籍データの表示を行うことを特徴とする。
【００３５】
本願第１１発明においては、書籍識別情報と書籍データとが関連付けられてデータ記憶手段に記憶されており、閲覧装置用無線タグに書籍識別情報が記憶されている場合にのみ判定手段の判定が満たされ、データ表示手段が表示を行う。これにより、対応する書籍識別情報が閲覧装置用無線タグに記憶されていない書籍データは、たとえ書籍データ自体がデータ記憶手段に記憶されていても、表示できないようにすることができる。
【００３６】
この結果、データ記憶手段に記憶された書籍データを消去しなくても、閲覧装置用無線タグに記憶された、当該書籍データに対応した書籍識別情報のみを消去すれば、データ表示手段は当該書籍データを表示できなくなる。この結果、例えば有効期限が過ぎた等に基づくユーザによる書籍データの閲覧禁止処理を、容易に実行することができる。
【００３７】
第１２発明は、上記第１０発明において、前記データ表示手段においてページの切り替えを行うための右側操作手段及び左側操作手段と、関連付けられる前記書籍が右綴じ書籍であるか左綴じ書籍であるかの綴じ属性情報に基づき、前記データ表示手段に表示される画面をページ進み方向に切り替えるページ送り機能、及び、前記データ表示手段に表示される画面をページ戻り方向に切り替えるページ戻り機能のいずれかを、前記右側操作手段及び前記左側操作手段に選択的に割り当てる割り当て手段とをさらに備え、前記データ表示手段は、前記ページ送り機能又は前記ページ戻り機能が割り当てられた前記右側操作手段又は前記左側操作手段の操作に対応して、前記データ記憶手段に記憶された前記書籍データを、１画面ごとにページを切り替えて表示することを特徴とする。
【００３８】
現実の書籍には、右側の端部を綴じて製本したいわゆる右綴じの書籍と、左側の端部を綴じて製本したいわゆる左綴じの書籍とがある。右綴じの書籍の場合には、読者はページを右側にめくって次のページへ読み進み、左綴じの書籍の場合には、読者はページを左側にめくって次のページへ読み進むことになる。閲覧装置にページめくり動作を行うための操作手段を設ける場合、この操作手段は、上記右綴じ書籍と左綴じ書籍との違いに基づく人間の自然な動作に合致した操作フィーリングを実現するのが望ましい。
【００３９】
そこで、本願第１２発明においては、各書籍が右綴じ書籍であるか左綴じ書籍であるかに応じて、ページ送り機能及びページ戻り機能を、右側操作手段及び左側操作手段のいずれかに選択的に割り当てる。これにより、右綴じ書籍の書籍データを表示する場合には右側操作手段にページ送り機能、左側操作手段にページ戻り機能を割り当てるとともに、左綴じ書籍の書籍データを表示する場合には左側操作手段にページ送り機能、右側操作手段にページ戻り機能を割り当てることができる。この結果、ユーザは、現実の書籍のページをめくるのと同様の自然な感覚で書籍データを読み進むことができる。
【００４０】
上記目的を達成するために、第１３発明は、書籍用無線タグから書籍の書籍識別情報を無線通信により取得するとともに、書籍データを表示する閲覧装置に設けられた閲覧装置用無線タグから当該閲覧装置を特定する装置識別情報を無線通信により取得する第１手順と、複数の書籍データを、各書籍データに対応する書籍識別情報と関連付けて記憶したデータベースにアクセスし、前記第１手順で取得した前記書籍識別情報に対応した書籍データを取得する第２手順と、前記第１手順で取得した前記装置識別情報により特定される前記閲覧装置に対し、前記第２手順で取得した前記書籍データを出力する第３手順とを有することを特徴とする。
【００４１】
本願第１３発明においては、書籍に書籍用無線タグが設けられており、書籍データを閲覧するための閲覧装置に閲覧装置用無線タグが設けられている。ユーザが所望の書籍を閲覧したい場合には、当該書籍と自己の保有する閲覧装置とをセットにして、持参する。すると、第１手順において、無線通信により、閲覧装置用無線タグに記憶された装置識別情報と、書籍用無線タグに記憶された書籍識別情報とが取得される。第２手順では、第１手順で取得された書籍識別情報を用いてデータベースへのアクセスが実行され、当該書籍識別情報に対応した書籍データが取得される。そして、第３手順で、第２手順で取得された書籍データが、閲覧装置に対して出力される。このとき、出力先の閲覧装置を特定するために、第１手順で取得された装置識別情報が用いられる。このようにして、閲覧装置に入力された書籍データは閲覧装置により表示される。
【００４２】
以上のようにして、ユーザは、所望の書籍を選んだ後、その書籍と閲覧装置とを持参するだけで、閲覧装置に対し書籍データの提供を受けることができる。これにより、ユーザは、それ以降、当該書籍の内容を閲覧することができる。この際、書籍は、書籍データの提供後は元の収納場所に戻され、実際にユーザに対し引き渡される必要はない。したがって、ユーザにとっては重い書籍を持ち運ぶ必要がなく、また読むときに痛めたり汚したりしないように等の配慮も必要なくなり、利便性が向上する。書籍管理者側にとっては、書籍は実際には引き渡さず電子情報のやりとりだけでサービス提供を行えるので、管理負担が低減する。また、サービス提供に要する時間も低減できるので、ユーザに対する書籍の閲覧サービスを効率よく行うことができる。
【発明の効果】
【００４３】
本発明によれば、書籍の内容を表す書籍データをユーザに提供することで、ユーザ及び書籍管理者の利便性を向上することができる。
【図面の簡単な説明】
【００４４】
【図１】本発明の一実施形態の書籍閲覧サービス提供システムを表すシステム構成図である。
【図２】書籍データを記憶したデータベースの記憶内容を表すテーブルである。
【図３】書籍用無線タグの機能的構成を表す機能ブロック図である。
【図４】書籍閲覧サービス装置の機能的構成を表す機能ブロック図である。
【図５】書籍用無線タグ及び閲覧装置用無線タグと、書籍閲覧サービス装置との、無線通信を説明する説明図である。
【図６】閲覧装置の機能的構成と閲覧装置用無線タグの機能的構成とを表す、機能ブロック図である。
【図７】ＦｌａｓｈＲＯＭの記憶内容を表すテーブルである。
【図８】閲覧装置用無線タグの記憶内容を表すテーブルである。
【図９】閲覧装置の表示部に表示する画面の切り替えを表す説明図である。
【図１０】閲覧装置の表示部に表示する画面の切り替えを表す説明図である。
【図１１】ユーザが書籍データの提供を受けるときに、書籍用無線タグ、閲覧装置用無線タグ、閲覧装置、書籍閲覧サービス装置、及びサーバが実行する制御手順を表すシーケンス図である。
【図１２】ユーザが書籍データの利用を終了するときに、書籍用無線タグ、閲覧装置用無線タグ、閲覧装置、書籍閲覧サービス装置、及びサーバが実行する制御手順を表すシーケンス図である。
【図１３】閲覧装置において実行される制御手順を表すフローチャートである。
【図１４】閲覧装置用無線タグの記憶内容を抽出した書籍データリストを表すテーブルである。
【図１５】閲覧装置が自動で起動される変形例において、書籍用無線タグ、閲覧装置用無線タグ、閲覧装置、書籍閲覧サービス装置、及びサーバが実行する制御手順を表すシーケンス図である。
【図１６】複数の書籍の書籍データを提供する変形例において、書籍用無線タグ及び閲覧装置用無線タグと、書籍閲覧サービス装置との、無線通信を説明する説明図である。
【図１７】書籍用無線タグ、閲覧装置用無線タグ、閲覧装置、書籍閲覧サービス装置、及びサーバが実行する制御手順を表すシーケンス図である。
【図１８】複数の書籍の書籍データを提供する変形例における、リーダアンテナ、書籍、閲覧装置の配置の別の例を説明する説明図である。図である。
【発明を実施するための形態】
【００４５】
以下、本発明の一実施の形態を、図面を参照しつつ説明する。本実施形態は、本発明を、図書館の蔵書の貸し出しサービスに適用した場合の実施形態である。
【００４６】
本実施形態の書籍閲覧サービス提供システムＳは、ユーザＭが利用可能な図書館（図示せず）に設けられる。図書館には、複数の書棚１が設けられている。各書棚１には、少なくとも１つの書籍ＢＫが収納されている。図１に示すように、書籍閲覧サービス提供システムＳは、書籍ＢＫに設けられる書籍用無線タグＴＢと、閲覧装置用無線タグＴＶを備えた閲覧装置１００と、書籍閲覧サービス装置２００と、データベース３０１を備えたサーバ３００とを有している。
【００４７】
書籍閲覧サービス装置２００は、有線又は無線からなるネットワークＮＷを介しサーバ３００に接続されている。書籍閲覧サービス装置２００は、サーバ３００と情報送受可能であり、サーバ３００を介しデータベース３０１にアクセスして検索を行うことができる。
【００４８】
データベース３０１には、予め、各書籍ＢＫの内容を電子化した書籍データが記憶されている。各書籍ＢＫには、書籍識別情報としての書籍管理番号が個別に付与されている。図２に示すように、データベース３０１は、各書籍ＢＫの書籍管理番号と当該書籍ＢＫの書籍データとを、互いに対応付けて記憶している。書籍管理番号は、図書館における管理用に予め各書籍ＢＫに対して付与された、各書籍ＢＫに固有の番号である。書籍データは、この例では複数のビットマップイメージデータにより構成されている。またデータベース３０１では、各書籍ＢＫの書籍管理番号に対し、書籍ＢＫのタイトル、序列情報としての巻数情報、作者名、出版社名、発刊日、及びページ数からなる書誌事項が、関連付けられている。巻数情報は、書籍ＢＫが例えば上巻、中巻、下巻等の複数巻構成である場合に、その複数巻のうちの第何巻であるかを表す情報である。
【００４９】
各書籍ＢＫに設けられた書籍用無線タグＴＢは、図３に示すように、ＩＣ回路部１５０と、タグアンテナ１５１とを備えている。ＩＣ回路部１５０は、整流部１５２と、電源部１５３と、クロック抽出部１５４と、メモリ部１５５と、変復調部１５６と、制御部１５７とを備える。整流部１５２は、タグアンテナ１５１により受信された質問波を整流する。電源部１５３は、整流部１５２により整流された質問波のエネルギを、駆動電源とするために蓄積する。変復調部１５６は、タグアンテナ１５１により受信された通信信号の復調を行い、制御部１５７は、上記変復調部１５６により復調された受信信号を解釈する。また、制御部１５７は、上記メモリ部１５５において記憶された情報信号に基づいて返信信号を生成する。変復調部１５６は生成された上記返信信号を変調してタグＩＤを含む応答波とし、上記タグアンテナ１５１から送信する。
【００５０】
メモリ部１５５は、少なくとも、タグＩＤと、上述した書籍管理番号と、左開き／右開きフラグとが記憶されている。タグＩＤは、書籍用無線タグＴＢを特定するための識別情報である。左開き／右開きフラグは、書籍ＢＫが、表紙を上にして水平配置したときに左側端部が綴じられた左綴じ書籍であるか、表紙を上にして水平配置したときに右側端部が綴じられた右綴じ書籍であるか、を表す綴じ属性情報である。一般に、テキストが横書きとなっている書籍ＢＫ、例えば雑誌、説明書、カタログ等は、左綴じ書籍である場合が多く（後述の図９参照）、テキストが縦書きとなっている書籍ＢＫ、例えば新聞、漫画、文庫本等は、右綴じ書籍である場合が多い（後述の図１０参照）。なお、以上述べた以外にも、メモリ部１５５は、上記データベース３０１の記憶内容と同様の、書籍ＢＫのタイトル、巻数情報、作者名、出版社名、発刊日、及びページ数等の書誌事項を記憶している。但し、メモリ部１５５は、これら書誌事項は記憶せず、書籍閲覧サービス装置２００がメモリ部１５５から書籍管理番号を読み取った後、書籍閲覧サービス装置２００がその取得した書籍管理番号を用いてデータベース３０１より書誌事項を取得するようにしてもよい。また、メモリ部１５５は、過去に書籍データが送信されて記録された閲覧装置１００の装置ＩＤ（後述）を併せて記憶するようにしてもよい。
【００５１】
図１に戻り、書籍閲覧サービス装置２００は、装置本体２００Ａと、表示機能及び操作機能を備えたタッチパネル２０１と、リーダアンテナ２０２とを備えている。リーダアンテナ２０２は、平面形状のトレイ型のアンテナである。リーダアンテナ２０２は、上記の平面が水平方向となるように配置されている。
【００５２】
図４に示すように、書籍閲覧サービス装置２００の装置本体２００Ａは、上記ネットワークＮＷへ接続されたネットワーク通信制御部２０３と、閲覧装置１００とＢｌｕｅｔｏｏｔｈ（登録商標）による通信を行うデータ通信手段としてのＢｌｕｅｔｏｏｔｈ通信制御部２０４と、大容量記憶装置２０５と、ＲＡＭ２０６と、無線タグ通信制御部２０７と、ＣＰＵ２１０とを備えている。ユーザＭが上記書籍用無線タグＴＢをリーダアンテナ２０２の上方近傍へ位置させることにより、書籍用無線タグＴＢがリーダアンテナ２０２の通信範囲内に位置する。これにより、リーダアンテナ２０２が、上記書籍用無線タグＴＢと無線通信により情報送受信を行う（図５参照）。なお、このときの通信周波数は、マイクロ波帯を用いる上記Ｂｌｕｅｔｏｏｔｈとの干渉を防ぐために、例えばＨＦ帯又はＵＨＦ帯となっている。すなわち、ＣＰＵ２１０が、無線タグ通信制御部２０７を介し、リーダアンテナ２０２を用いた上記情報送受信により、書籍用無線タグＴＢのメモリ部１５５から書籍管理番号を取得する。ＣＰＵ２１０は、ネットワーク通信制御部２０３を介し、上記取得した書籍管理番号を用いてデータベース３０１へアクセスする。これにより、ＣＰＵ２１０は、上記書籍管理番号に該当する書籍ＢＫの書籍データをデータベース３０１において検索し、当該書籍データをデータベース３０１から取得することができる。
【００５３】
上述したように、書籍閲覧サービス装置２００及び閲覧装置１００は、Ｂｌｕｅｔｏｏｔｈによる通信機能をそれぞれ備えている。上記のようにしてＣＰＵ２１０がデータベース３０１から取得した書籍ＢＫの書籍データは、Ｂｌｕｅｔｏｏｔｈ通信制御部２０４を介し、Ｂｌｕｅｔｏｏｔｈ通信によって閲覧装置１００のＢｌｕｅｔｏｏｔｈ通信制御部（後述の図６参照）へ送信される。なお、書籍ＢＫの書籍データの送信を、Ｂｌｕｅｔｏｏｔｈ通信により行うのには限られない。すなわち、書籍ＢＫの書籍データの送信を、例えば無線ＬＡＮを用いて実行してもよい。
【００５４】
図６に示すように、閲覧装置１００は、装置本体１００Ａと、上記閲覧装置用無線タグＴＶとを備えている。装置本体１００Ａは、データ表示手段としての表示部１０１と、左側操作手段としての上記左操作キー１０２Ｌと、右側操作手段としての上記右操作キー１０２Ｒと、データ送受手段としてのＢｌｕｅｔｏｏｔｈ通信制御部１０３と、データ記憶手段としてのＦｌａｓｈＲＯＭ１０４と、ＲＡＭ１０５と、バッテリ電源１０６と、ＣＰＵ１１０とを備えている。Ｂｌｕｅｔｏｏｔｈ通信制御部１０３は、書籍閲覧サービス装置２００の上記Ｂｌｕｅｔｏｏｔｈ通信制御部２０４に対してＢｌｕｅｔｏｏｔｈによる通信を行う。
【００５５】
ＦｌａｓｈＲＯＭ１０４は、図７に概念的に示すように、Ｂｌｕｅｔｏｏｔｈ通信制御部１０３により取得された、ビットマップ形式の書籍データを、書籍管理番号と対応付けて記憶する。なお、書籍データに対し、書籍ＢＫのタイトル等をさらに対応付けてＦｌａｓｈＲＯＭ１０４に記憶してもよい。
【００５６】
閲覧装置用無線タグＴＶは、前述した書籍用無線タグＴＢとほぼ同様の機能的構成を備えている。すなわち、閲覧装置用無線タグＴＶは、前述と同等の機能のＩＣ回路部１５０と、タグアンテナ１５１とを備えている。ＩＣ回路部１５０は、整流部１５２と、電源部１５３と、クロック抽出部１５４と、メモリ部１５５と、変復調部１５６と、制御部１５７とを備える。なお、制御部１５７は、閲覧装置１００の装置本体１００Ａに設けられたＣＰＵ１１０に対し、情報送受信可能に有線接続されている。
【００５７】
閲覧装置用無線タグＴＶのメモリ部１５５は、図８に示すように、タグＩＤと、装置識別情報としての装置ＩＤと、書籍管理番号と、有効期限と、上述の左開き／右開きフラグとを記憶している。タグＩＤは、閲覧装置用無線タグＴＶを特定するための識別情報である。装置識別番号は、各閲覧装置１００に対して予め付与された、各閲覧装置１００に固有の番号である。書籍管理番号は、閲覧装置１００を所持するユーザが現在書籍データの提供を受けている書籍ＢＫの書籍管理番号である。すなわち、書籍管理番号は、上述のようにしてＢｌｕｅｔｏｏｔｈ通信制御部１０３を介しＢｌｕｅｔｏｏｔｈ通信により取得され、さらに大容量ＦｌａｓｈＲＯＭ１０４に記憶された、書籍データに対応する書籍ＢＫの書籍管理番号を表している。したがって、この書籍管理番号は、ＦｌａｓｈＲＯＭ１０４において書籍データと関連付けられて記憶された書籍管理番号と対応している（図７参照）。有効期限は、上記大容量ＦｌａｓｈＲＯＭ１０４に記憶された書籍データを表示部１０１が表示可能な期限である。
【００５８】
なお、ユーザＭにより利用終了の申し出があった書籍データに対応した書籍管理番号は、後述のようにして書籍閲覧サービス装置２００により消去され、その消去以降、表示部１０１により表示されなくなる。図８の右側に３段で表されたデータのうち最上段のデータは、そのような書籍管理番号が消去された状態の例を表している。この場合、前述の図７に示したように、当該消去された書籍番号、この例では「３５１０８７」に対応した書籍データはＦｌａｓｈＲＯＭ１０４に残っているが、表示部１０１では表示不能となる。また、ＦｌａｓｈＲＯＭ１０４に記録された書籍データのうち、閲覧装置用無線タグＴＶに対応する書籍管理番号が残っているが有効期限が切れた書籍データについても、表示部１０１では表示不能となる。図８の右側に３段で表されたデータのうち中段のデータの有効期限は、２００９年６月６日である。したがって、２００９年６月７日以降、当該中段のデータに記載の書籍管理番号１３４３０４の書籍データは、書籍管理番号が閲覧装置用無線タグＴＶに消去されず残っていても、表示不能となる（詳細は後述）。
【００５９】
なお、メモリ部１５５は、装置ＩＤに代えて、ユーザＭに個別に付与されユーザＭを特定可能なユーザ情報としてのユーザ番号を記憶していてもよい。このとき、メモリ部１５５は、ユーザ番号に加え、ユーザＭが自ら設定したハンドル名を記憶していてもよい。
【００６０】
図４及び図６に戻り、書籍閲覧サービス装置２００の上記リーダアンテナ２０２はまた、上記閲覧装置用無線タグＴＶとも、無線通信可能である。すなわちリーダアンテナ２０２及び無線タグ通信制御部２０７は、各請求項記載のタグ通信手段を構成している。ユーザＭが上記閲覧装置１００をリーダアンテナ２０２の上方へ位置させることにより、閲覧装置用無線タグＴＶがリーダアンテナ２０２の通信範囲に位置する。これにより、リーダアンテナ２０２は、閲覧装置１００の閲覧装置用無線タグＴＶと情報送受信を行う（図５参照）。このときの通信周波数も、上記同様、例えばＨＦ帯又はＵＨＦ帯となっている。そして、書籍閲覧サービス装置２００のＣＰＵ２１０は、リーダアンテナ２０２及び無線タグ通信制御部２０７を介して、閲覧装置用無線タグＴＶのメモリ部１５５から上記装置ＩＤを取得する。そして、ＣＰＵ２１０は、上記取得した装置ＩＤを用いて書籍データの送信対象となる閲覧装置１００を特定し、Ｂｌｕｅｔｏｏｔｈ通信制御部２０４により上記Ｂｌｕｅｔｏｏｔｈ通信を行う。
【００６１】
ユーザＭは、図１に示すように読みたい書籍ＢＫを書棚１より手に取り、予め所持していた閲覧装置１００とともに、書籍閲覧サービス装置２００へ赴く。そして、ユーザＭは、書籍ＢＫと、閲覧装置１００とを、リーダアンテナ２０２の上部へ置くか、若しくは、かざす。これにより、書籍閲覧サービス装置２００が、書籍用無線タグＴＶから書籍ＢＫの書籍管理番号を取得し、その書籍管理番号に対応した書籍データをデータベース３０１から取得する。一方、書籍閲覧サービス装置２００は閲覧装置１００の閲覧装置用無線タグＴＶから装置ＩＤを取得し、その装置ＩＤを用いて閲覧装置１００を特定する。そして、書籍閲覧サービス装置２００は、上記データベース３０１から取得した書籍データを、上記特定した閲覧装置１００へとＢｌｕｅｔｏｏｔｈ通信により送信する。上記Ｂｌｕｅｔｏｏｔｈ通信により閲覧装置１００のＢｌｕｅｔｏｏｔｈ通信制御部１０３で取得された書籍データは、上記大容量ＦｌａｓｈＲＯＭ１０４によって記憶される。そして、表示部１０１は、上記のようにして大容量ＦｌａｓｈＲＯＭ１０４に記憶された書籍データを、１ページごとに切り替えて表示する。
【００６２】
図９は、大容量ＦｌａｓｈＲＯＭ１０４に記憶された書籍データが、上記左綴じ書籍であった場合を示している。すなわち、図９は、書籍ＢＫのテキストが横書きであった場合の例である。この場合、図示のように、左操作キー１０２Ｌはページ送り機能を実行するためのものであり、右操作キー１０２Ｒがページ戻し機能を実行するためのものである。ユーザＭが左操作キー１０２Ｌを操作すると、表示部１０１に表示される画面が、現在表示しているページからその次のページへと切り替わる。この切り替わった状態でユーザＭが右操作キー１０２Ｒを操作すると、表示部１０１に表示される画面が、上記次のページから元のページへと戻る。
【００６３】
図１０は、大容量ＦｌａｓｈＲＯＭ１０４に記憶された書籍データが、上記右綴じ書籍であった場合を示している。すなわち、図１０は、書籍ＢＫのテキストが縦書きであった場合の例である。この場合、図示のように、左操作キー１０２Ｌはページ戻し機能を実行するためのものであり、右操作キー１０２Ｒがページ送り機能を実行するためのものである。ユーザＭが右操作キー１０２Ｒを操作すると、表示部１０１に表示される画面が、現在表示しているページからその次のページへと切り替わる。この切り替わった状態でユーザＭが左操作キー１０２Ｌを操作すると、表示部１０１に表示される画面が、上記次のページから元のページへと戻る。
【００６４】
次に、上記の機能を実現するために、書籍用無線タグＴＢ、閲覧装置用無線タグＴＶ、閲覧装置１００の装置本体１００Ａ、書籍閲覧サービス装置２００、及びサーバ３００が実行する制御手順を、図１１〜図１３を用いて説明する。
【００６５】
ユーザＭが所望の書籍ＢＫの書籍データの提供を受ける場合には、通常の図書館での貸し出し処理に対応する、図１１に示すフローチャートが実行される。なお、このフローチャートが実行される際には、既に、ユーザＭによって閲覧装置１００の電源が投入されている状態である。まず、ステップＳＳ５において、書籍閲覧サービス装置２００のＣＰＵ２１０が、無線タグ通信制御部２０７及びリーダアンテナ２０２を介し、タグＩＤを指定しない問い合わせコマンド、例えばインベントリコマンドを生成して送信する。
【００６６】
前述したように、ユーザＭが書籍ＢＫ及び閲覧装置１００をリーダアンテナ２０２の上方近傍へ位置させていた場合、書籍用無線タグＴＢ及び閲覧装置用無線タグＴＶはリーダアンテナ２０２の通信範囲内に位置する。この結果、書籍用無線タグＴＢ及び閲覧装置用無線タグＴＶはそれぞれ上記問い合わせコマンドを受信する。これにより、ステップＳＢ１０において、書籍用無線タグＴＢが、タグＩＤを含む応答信号をリーダアンテナ２０２に送信する。また、ステップＳＶ１０において、閲覧装置用無線タグＴＶが、タグＩＤを含む応答信号をリーダアンテナ２０２に送信する。これら２つの応答信号は、リーダアンテナ２０２により受信され、無線タグ通信制御部２０７を介しＣＰＵ２１０により取得される。
【００６７】
上記２つの応答信号の受信によりステップＳＳ１０の判定が満たされ、ステップＳＳ１５に移る。ステップＳＳ１０では、ＣＰＵ２１０が、無線タグ通信制御部２０７及びリーダアンテナ２０２を介し、上記ステップＳＢ１０及びステップＳＶ１０でそれぞれ取得したタグＩＤを指定した読み取りコマンドを生成し、送信する。
【００６８】
書籍用無線タグＴＢ及び閲覧装置用無線タグＴＶはそれぞれ上記読み取りコマンドを受信する。これにより、ステップＳＢ２０において、書籍用無線タグＴＢが、メモリ部１５５に記憶していた各種データをリーダアンテナ２０２に送信する。データには、書籍管理番号と、左開き／右開きフラグと、書籍ＢＫのタイトル、巻数情報、作者名、出版社名、発刊日、及びページ数等の書誌事項とが含まれる。このデータは、リーダアンテナ２０２により受信され、無線タグ通信制御部２０７を介しＣＰＵ２１０により取得される。なお、このステップＳＢ２０でのデータ受信手順が、各請求項記載の第１手順に相当する。このステップＳＢ２０でのデータ受信手順はまた、識別情報取得手段として機能するとともに、属性情報取得手段としても機能し、さらに序列情報取得手段としても機能する。また、ステップＳＶ２０において、閲覧装置用無線タグＴＶが、メモリ部１５５に記憶していた装置ＩＤを含む各種データをリーダアンテナ２０２に送信する。このデータは、リーダアンテナ２０２により受信され、無線タグ通信制御部２０７を介しＣＰＵ２１０により取得される。なお、このステップＳＶ２０でのデータ受信手順もまた、各請求項記載の第１手順に相当し、各請求項記載の識別情報取得手段として機能する。
【００６９】
その後、ステップＳＳ２０において、ＣＰＵ２１０がタッチパネル２０１に表示制御信号を出力し、上記ステップＳＢ２０で取得された、書籍ＢＫのタイトル、巻数情報、作者名、出版社名、発刊日、及びページ数等の書誌事項を、タッチパネル２０１に表示させる。
【００７０】
ユーザＭはタッチパネル２０１に表示された書誌事項を見て、この書籍ＢＫの書籍データの提供を希望するか希望しないかを決定する。ユーザＭが書籍データの提供を希望する場合は、タッチパネル２０１の画面上における所定の操作を行うことによりステップＳＳ２５の判定が満たされ、ステップＳＳ３０へ移る。ユーザＭが書籍データの提供を希望しない場合は、ステップＳＳ２５の判定が満たされず、後述するステップＳＳ８５へ移る。
【００７１】
ステップＳＳ３０では、ＣＰＵ２１０が、この時点での日時を基準とした書籍データの有効期限等のデータを書き込むための、上記ステップＳＢ１０で取得したタグＩＤを指定した書き込みコマンドを生成する。そしてＣＰＵ２１０が、生成した書き込みコマンドを、無線タグ通信制御部２０７及びリーダアンテナ２０２を介し、書籍用無線タグＴＢへ送信する。この手順が、各請求項記載の第２情報出力手段として機能する。上記書き込みコマンドを受信した書籍用無線タグＴＢは、ステップＳＢ３０において、メモリ部１５５に上記有効期限等のデータを記憶する。
【００７２】
その後、ステップＳＳ４５において、書籍閲覧サービス装置２００のＣＰＵ２１０が、ステップＳＢ２０で取得した書籍管理番号に対応した書籍データを要求する要求信号を、ネットワーク通信制御部２０３及びネットワークＮＷを介してサーバ３００へ出力する。この要求信号を入力したサーバ３００は、ステップＳＲ１０において、上記要求信号に含まれる書籍管理番号を用いてデータベース３０１を検索する。当該書籍管理番号の書籍データがみつかったら、サーバ３００は、ステップＳＲ２０において、当該書籍データを出力する。上記のようにしてサーバ３００から出力された書籍データは、ネットワークＮＷ及びネットワーク通信制御部２０３を介し、ＣＰＵ２１０により取得され、さらに大容量記憶装置２０５へ格納される。なお、このステップＳＲ２０での書籍データ受信手順が、各請求項記載の第２手順に相当するとともに、各請求項記載の書籍データ取得手段として機能する。
【００７３】
その後、ステップＳＳ５０において、ＣＰＵ２１０は、Ｂｌｕｅｔｏｏｔｈ通信制御部２０４を介し、Ｂｌｕｅｔｏｏｔｈ通信接続を開始する。このとき、ＣＰＵ２１０は、ステップＳＶ２０で取得された装置ＩＤをＢｌｕｅｔｏｏｔｈ通信制御部２０４へ出力することにより、Ｂｌｕｅｔｏｏｔｈ通信の接続相手を、その装置ＩＤで特定される閲覧装置１００に特定する。例えば、Ｂｌｕｅｔｏｏｔｈ通信制御部２０４が、その時点においてＢｌｕｅｔｏｏｔｈ通信の接続相手として認識できた複数のＩＤのうち、上記装置ＩＤと合致するものを接続相手として選択するようにしてもよい。前述のようにして、ユーザＭが閲覧装置１００を書籍閲覧サービス装置２００の近傍に位置させた状態にあると、閲覧装置１００のＢｌｕｅｔｏｏｔｈ通信制御部１０３とのＢｌｕｅｔｏｏｔｈ通信接続が成立する。すなわち、ステップＳＶ３０において、閲覧装置１００のＣＰＵ１１０がＢｌｕｅｔｏｏｔｈ通信制御部１０３を介して認証結果を書籍閲覧サービス装置２００へと送信する。この認証結果が、Ｂｌｕｅｔｏｏｔｈ通信制御部２０４を介してＣＰＵ２１０により取得されると、ステップＳＳ５５の判定が満たされ、ステップＳＳ６０へ移る。
【００７４】
ステップＳＳ６０では、ＣＰＵ２１０が、Ｂｌｕｅｔｏｏｔｈ通信制御部２０４を介し、上記ステップＳＲ２０で取得され大容量記憶装置２０５に格納された書籍データを、閲覧装置１００のＢｌｕｅｔｏｏｔｈ通信制御部１０３へＢｌｕｅｔｏｏｔｈ通信により送信開始する。なお、この書籍データの送信は、Ｂｌｕｅｔｏｏｔｈを用いずに、他の高規格の無線通信により行ってもよい。あるいは閲覧装置１００と書籍閲覧サービス装置２００との間をＵＳＢケーブル等の通信ケーブル部材で接続し、有線通信により行うようにしてもよい。このステップＳＳ６０での書籍データ送信手順が、各請求項記載の第３手順に相当するとともに、各請求項記載の書籍データ出力手段として機能する。
【００７５】
Ｂｌｕｅｔｏｏｔｈ通信により送信された書籍データは、ステップＳＶ４０において、閲覧装置１００のＢｌｕｅｔｏｏｔｈ通信制御部１０３を介しＣＰＵ１１０により取得され、さらにＦｌａｓｈＲＯＭ１０４に記録される。
【００７６】
上記のようにして書籍データの書籍閲覧サービス装置２００から閲覧装置１００への送信が完了したら、ステップＳＳ７０の判定が満たされ、ステップＳＳ７５に移る。ステップＳＳ７０では、書籍閲覧サービス装置２００のＣＰＵ２１０が、Ｂｌｕｅｔｏｏｔｈ通信制御部２０４を介し、Ｂｌｕｅｔｏｏｔｈ通信を切断するための切断指示を出力する。これに応じて、ステップＳＶ５０において、閲覧装置１００のＢｌｕｅｔｏｏｔｈ通信制御部１０３が、Ｂｌｕｅｔｏｏｔｈ通信接続を切断する切断処理を行う。その後、ステップＳＳ８５へ移る。なお、前述したように、ステップＳＳ２５の判定が満たされなかった場合も、ステップＳＳ８５へ移る。
【００７７】
ステップＳＳ８５では、書籍閲覧サービス装置２００のＣＰＵ２１０が、この時点での日時を基準とした書籍データの有効期限、書籍管理番号、左開き／右開きフラグ等のデータを書き込むための、上記ステップＳＶ１０で取得したタグＩＤを指定した書き込みコマンドを生成する。そしてＣＰＵ２１０が、生成した書き込みコマンドを、無線タグ通信制御部２０７及びリーダアンテナ２０２を介し、閲覧装置用無線タグＴＶへ送信する。この送信手順が、各請求項記載の第１情報出力手段として機能するとともに、属性情報出力手段としても機能する。上記書き込みコマンドを受信した閲覧装置用無線タグＴＶは、ステップＳＶ６０において、メモリ部１５５に上記有効期限、書籍管理番号、左開き／右開きフラグ等のデータを記憶する。
【００７８】
その後、ステップＳＳ９０で、ＣＰＵ２１０がタッチパネル２０１に表示制御信号を出力し、書籍ＢＫの書籍データの提供が終了した旨のメッセージを、タッチパネル２０１に表示させ、このシーケンスが終了する。この後、ユーザＭは、書籍ＢＫを、所定の返却箇所に返却し、閲覧装置１００のみを持ち帰る。なお、上記返却箇所は、元の書棚１における収納箇所と同一でなくてもよい。
【００７９】
一方、ユーザＭが提供された書籍データの利用を終了する場合には、ユーザＭが閲覧装置１００を所持して書籍閲覧サービス装置２００へと赴く。そして、通常の図書館での返却処理に対応する、図１２に示すフローチャートが実行される。なお、このフローチャートが実行される際には、図１１のフローチャートとは異なり、閲覧装置１００の電源は非投入状態でよい。まず、ステップＳＳ１１０において、書籍閲覧サービス装置２００のＣＰＵ２１０が、無線タグ通信制御部２０７及びリーダアンテナ２０２を介し、タグＩＤを指定しない問い合わせコマンド、例えばインベントリコマンドを生成して送信する。
【００８０】
前述と同様、ユーザＭが閲覧装置１００をリーダアンテナ２０２の上方近傍へ位置させると、閲覧装置用無線タグＴＶがリーダアンテナ２０２の通信範囲内に位置する。この結果、閲覧装置用無線タグＴＶが上記問い合わせコマンドを受信する。これにより、ステップＳＶ１１０において、閲覧装置用無線タグＴＶが、タグＩＤを含む応答信号をリーダアンテナ２０２に送信する。この応答信号は、リーダアンテナ２０２により受信され、無線タグ通信制御部２０７を介しＣＰＵ２１０により取得される。
【００８１】
上記応答信号の受信によりステップＳＳ１２０の判定が満たされ、ステップＳＳ１３０に移る。ステップＳＳ１３０では、ＣＰＵ２１０が、無線タグ通信制御部２０７及びリーダアンテナ２０２を介し、上記ステップＳＶ１１０で取得したタグＩＤを指定した読み取りコマンドを生成し、送信する。
【００８２】
閲覧装置用無線タグＴＶは上記読み取りコマンドを受信する。これにより、ステップＳＶ１２０において、閲覧装置用無線タグＴＶが、メモリ部１５５に記憶していた装置ＩＤ及びすべての書籍管理番号を含む各種データをリーダアンテナ２０２に送信する。このデータは、リーダアンテナ２０２により受信され、無線タグ通信制御部２０７を介しＣＰＵ２１０により取得される。
【００８３】
その後、ステップＳＳ１４０において、書籍閲覧サービス装置２００のＣＰＵ２１０が、ステップＳＶ１２０で取得した書籍管理番号に対応した前述の書誌事項を要求する要求信号を、ネットワーク通信制御部２０３及びネットワークＮＷを介してサーバ３００へ出力する。この要求信号を入力したサーバ３００は、ステップＳＲ１１０において、上記要求信号に含まれる書籍管理番号を用いてデータベース３０１を検索する。当該書籍管理番号に対応した書籍データがみつかったら、サーバ３００は、ステップＳＲ１２０において、当該書籍データに関連付けて記憶された書誌事項（上記図２参照）を出力する。サーバ３００から出力された書誌事項は、ネットワークＮＷ及びネットワーク通信制御部２０３を介し、ＣＰＵ２１０により取得される。
【００８４】
その後、ステップＳＳ１５０において、書籍閲覧サービス装置２００のＣＰＵ２１０がタッチパネル２０１に表示制御信号を出力し、上記ステップＳＲ１２０で取得された、書籍ＢＫのタイトル、巻数情報、作者名、出版社名、発刊日、及びページ数等の書誌事項を、タッチパネル２０１に表示させる。ユーザＭが閲覧装置１００に複数の書籍データの提供を受けていた場合には、各書籍データごとに、上記書誌事項が表示される。
【００８５】
ユーザＭはタッチパネル２０１に表示された書誌事項を見て、サービスの利用を終了する書籍ＢＫを選択する。ユーザＭがタッチパネル２０１の画面上における所定の操作を行ってサービスの利用を終了する書籍ＢＫを選択した場合は、ステップＳＳ１６０の判定が満たされ、ステップＳＳ１７０へ移る。ユーザＭがサービスの利用終了に対応した上記の操作を行わない場合は、ステップＳＳ１６０の判定が満たされず、後述するステップＳＳ１８０へ移る。
【００８６】
ステップＳＳ１７０では、ＣＰＵ２１０が、上記ステップＳ１６０でサービス利用終了として選択された書籍ＢＫに対応した書籍管理番号を消去するための、上記ステップＳＶ１０で取得したタグＩＤを指定した消去指示コマンドを生成する。そしてＣＰＵ２１０が、生成した消去指示コマンドを、無線タグ通信制御部２０７及びリーダアンテナ２０２を介し、閲覧装置用無線タグＴＶへ送信する。この手順が、各請求項記載の消去指示出力手段として機能する。上記書き込みコマンドを受信した閲覧装置用無線タグＴＶは、ステップＳＶ１３０において、メモリ部１５５に記憶された、上記消去指示コマンドに対応した書籍管理番号を消去する。この結果、書籍管理番号が消去された書籍データは、既に述べたように、大容量ＦｌａｓｈＲＯＭ１０４に書籍データが記憶されていても、表示部１０１において表示されなくなる。これにより、ユーザＭは、書籍データのサービス利用を終了することができる。
【００８７】
その後、ステップＳＳ１８０で、書籍閲覧サービス装置２００のＣＰＵ２１０がタッチパネル２０１に表示制御信号を出力する。これに応じて、タッチパネル２０１は、上記書籍管理番号が消去された書籍ＢＫについて書籍データ提供サービスの利用が終了した旨のメッセージをタッチパネル２０１に表示し、このシーケンスが終了する。
【００８８】
次に、閲覧装置１００のＣＰＵ１１０において実行される制御手順を図１３を用いて説明する。図１３に示すフローは、閲覧装置１００の電源が投入されることによって実行開始される。
【００８９】
まず、ステップＳ２０２において、ＣＰＵ１１０は、閲覧装置用無線タグＴＶの制御部１５７を介し、メモリ部１５５に記憶されている書籍データリストを、メモリ部１５５より取得する。このリストは、例えば図１４に示す態様であり、図８を用いて説明したメモリ部１５５の記憶内容の一部を構成している。また、この書籍データリストは、例えば、データが閲覧装置用無線タグＴＶのメモリ部１５５に書き込まれた順、言い換えれば、書籍データがＦｌａｓｈＲＯＭ１０４に記録された順に沿って、表示される。
【００９０】
その後、ステップＳ２０４において、ＣＰＵ１１０は、上記ステップＳ２０２で取得した書籍データリストに記載の１つのデータ、例えばリスト最上段に記載のデータに関して、書籍管理番号が記載されているかどうかを判定する。この手順が、各請求項記載の判定手段として機能する。図１２を用いて前述したサービス利用停止により書籍管理番号が消去されていたら、ステップＳ２０４の判定が満たされず、後述のステップＳ２１０に移る。書籍管理番号が記録されていれば判定が満たされ、ステップＳ２０６に移る。
【００９１】
ステップＳ２０６では、ＣＰＵ１１０は、その時点での日時が、記録されている有効期間内であるかどうかを判定する。その時点での日時が有効期間外であれば判定が満たされず、後述のステップＳ２１０に移る。その時点での日時が有効期間内であれば判定が満たされ、ステップＳ２０８に移る。
【００９２】
ステップＳ２０８では、ＣＰＵ１１０は、表示部１０１に制御信号を出力し、上記書籍データリストに記載されかつ有効期間内であったデータの書籍管理番号を表示部１０１に出力させる。なお、前述のようにＦｌａｓｈＲＯＭ１０４が、書籍データに対して、書籍管理番号に加えて書籍ＢＫのタイトル等を対応付けて記憶している場合には、表示部１０１が、書籍管理番号とともに書籍ＢＫのタイトルも表示するようにしてもよい。その後、ステップＳ２１０に移る。
【００９３】
ステップＳ２１０では、上記ステップＳ２０２で取得した書籍データリストに記載のすべてのデータについて上記ステップＳ２０４〜ステップＳ２０８の処理が終わったかどうかを判定する。まだステップＳ２０４〜ステップＳ２０８の処理が終わっていないデータが書籍データリストに残っていた場合は、ステップＳ２１０の判定が満たされず、ステップＳ２０４に戻って同様の手順を繰り返す。書籍データリストに記載のすべてのデータについて上記ステップＳ２０４〜ステップＳ２０８の処理が終わっていた場合はステップＳ２１０の判定が満たされ、ステップＳ２１５に移る。
【００９４】
以上の繰り返し手順により、表示部１０１には、その時点で表示可能なすべての書籍データに係わる書籍管理番号や書籍ＢＫのタイトルが表示された状態となる。ユーザＭが、表示可能な書籍データのうち、いずれか１つの書籍データを表示させたい場合は、閲覧装置１００に設けた適宜の操作手段、例えば左操作キー１０２Ｌ及び右操作キー１０２Ｒの一方を用いて、所定の操作を行う。これにより、上記表示部１０１での表示において、１つの書籍管理番号又は書籍ＢＫのタイトルが選択され、ステップＳ２１５の判定が満たされる。なお、ユーザＭがこのような選択操作を行わない場合は、ステップＳ２１５の判定が満たされず、後述のステップＳ２９０に移る。
【００９５】
その後、ＣＰＵ１１０は、閲覧装置用無線タグＴＶの制御部１５７を介しメモリ部１５５へアクセスし、上記ステップＳ２１５で選択された１つの書籍管理番号に対応する左開き／右開きフラグを取得する。そして、取得した左開き／右開きフラグが左開きを表していた場合、ステップＳ２２０の判定が満たされて、ステップＳ２２５Ａに移る。取得した左開き／右開きフラグが右開きを表していた場合、ステップＳ２２０の判定が満たされず、ステップＳ２２５Ｂに移る。
【００９６】
ステップＳ２２５Ａでは、書籍データの元となる書籍ＢＫが左綴じ書籍であることから、左操作キー１０２Ｌにページ送りキーとしての機能を設定し、右操作キー１０２Ｒにページ戻しキーとしての機能を設定する。ステップＳ２２５Ｂでは、書籍データの元となる書籍ＢＫが右綴じ書籍であることから、右操作キー１０２Ｒにページ送りキーとしての機能を設定し、左操作キー１０２Ｌにページ戻しキーとしての機能を設定する。これらステップＳ２２５Ａ及びステップＳ２２５Ｂが、各請求項記載の割り当て手段として機能する。
【００９７】
その後、ステップＳ２３０に移り、ＣＰＵ１１０は、上記書籍管理番号を用いてＦｌａｓｈＲＯＭ１０４にアクセスし、上記ステップＳ２０４〜ステップＳ２１０の繰り返しにより表示可能とされた、すべての書籍データをＦｌａｓｈＲＯＭ１０４より取得する。そして、ＣＰＵ１１０は、その取得した書籍データのうち、上記ステップＳ２１５での選択に対応した書籍データに係わる表示制御信号を表示部１０１に出力して、表示部１０１に書籍データを表示させる（前述の図９及び図１０参照）。
【００９８】
そして、ステップＳ２３５において、ＣＰＵ１１０は、ユーザＭにより上記ページ戻しキーが操作されたかどうかを判定する。ページ戻しキーが操作されない場合はステップＳ２３５の判定が満たされず、後述のステップＳ２６０に移る。ページ戻しキーが操作された場合はステップＳ２３５の判定が満たされ、ステップＳ２４０へ移る。
【００９９】
ステップＳ２４０では、ＣＰＵ１１０は、表示部１０１に現在表示しているページが、当該書籍データの最初のページであるかどうかを判定する。表示部１０１に現在表示しているページが最初のページでなかった場合はステップＳ２４０の判定が満たされず、ステップＳ２４５へ移る。ステップＳ２４５では、ＣＰＵ１１０の制御に基づき、表示部１０１は、現在表示しているページの１つ前のページを表示する。
【０１００】
一方、ステップＳ２４０において、表示部１０１に現在表示しているページが、当該書籍データの最初のページであった場合、判定が満たされ、ステップＳ２５０へ移る。ステップＳ２５０では、ＣＰＵ１１０は、ステップＳ２０２で取得した書籍データリストにおいて、表示部１０１により現在表示されているデータより１つ前の順番のデータ、例えば書籍データリスト上で１つ上段に位置するデータが、存在するかどうかを判定する。現在表示されている書籍データがＦｌａｓｈＲＯＭ１０４に記録されるよりも前の日時に、ＦｌａｓｈＲＯＭ１０４に記録された別の書籍データがなかった場合、ステップＳ２５０の判定は満たされず、後述のステップＳ２６０に移る。現在表示されている書籍データがＦｌａｓｈＲＯＭ１０４に記録されるよりも前の日時に、ＦｌａｓｈＲＯＭ１０４に記録された別の書籍データがあった場合、ステップＳ２５０の判定が満たされ、ステップＳ２５５に移る。
【０１０１】
ステップＳ２５５では、ＣＰＵ１１０は、現在表示されている書籍データがＦｌａｓｈＲＯＭ１０４に記録されるよりも前の日時にＦｌａｓｈＲＯＭ１０４に記録され、ステップＳ２０２で取得した書籍データリストにおいて、現在表示されているデータより１つ前の順番となっていた、書籍データを特定する。この書籍データは、上記ステップＳ２３０において、既にＣＰＵ１１０により取得されている。そして、ＣＰＵ１１０は、上記特定した書籍データに係わる表示制御信号を表示部１０１に出力して、表示部１０１に当該書籍データを表示させる。その後、ステップＳ２６０に移る。
【０１０２】
ステップＳ２６０では、ＣＰＵ１１０は、ユーザＭにより上記ページ送りキーが操作されたかどうかを判定する。ページ送りキーが操作されない場合はステップＳ２６０の判定が満たされず、後述のステップＳ２８５に移る。ページ送りキーが操作された場合はステップＳ２６０の判定が満たされ、ステップＳ２６５へ移る。
【０１０３】
ステップＳ２６５では、ＣＰＵ１１０は、表示部１０１に現在表示しているページが、当該書籍データの最後のページであるかどうかを判定する。表示部１０１に現在表示しているページが最後のページでなかった場合はステップＳ２６５の判定が満たされず、ステップＳ２７０へ移る。ステップＳ２７０では、ＣＰＵ１１０の制御に基づき、表示部１０１は、現在表示しているページの１つ後のページを表示する。
【０１０４】
一方、ステップＳ２６５において、表示部１０１に現在表示しているページが、当該書籍データの最後のページであった場合、判定が満たされ、ステップＳ２７５へ移る。ステップＳ２７５では、ＣＰＵ１１０は、ステップＳ２０２で取得した書籍データリストにおいて、表示部１０１により現在表示されているデータより１つ後の順番のデータ、例えば書籍データリスト上で１つ下段に位置するデータが、存在するかどうかを判定する。現在表示されている書籍データがＦｌａｓｈＲＯＭ１０４に記録されるよりも後の日時に、ＦｌａｓｈＲＯＭ１０４に記録された別の書籍データがなかった場合、ステップＳ２７５の判定は満たされず、後述のステップＳ２８５に移る。現在表示されている書籍データがＦｌａｓｈＲＯＭ１０４に記録されるよりも後の日時に、ＦｌａｓｈＲＯＭ１０４に記録された別の書籍データがあった場合、ステップＳ２７５の判定が満たされ、ステップＳ２８０に移る。
【０１０５】
ステップＳ２８０では、ＣＰＵ１１０は、現在表示されている書籍データがＦｌａｓｈＲＯＭ１０４に記録されるよりも後の日時にＦｌａｓｈＲＯＭ１０４に記録され、ステップＳ２０２で取得した書籍データリストにおいて、現在表示されているデータより１つ後の順番となっていた、書籍データを特定する。この書籍データは、上記ステップＳ２３０において、既にＣＰＵ１１０により取得されている。そして、ＣＰＵ１１０は、上記特定した書籍データに係わる表示制御信号を表示部１０１に出力して、表示部１０１に当該書籍データを表示させる。その後、ステップＳ２８５に移る。
【０１０６】
ステップＳ２８５では、ＣＰＵ１１０は、書籍データの表示を終了するための操作が、ユーザＭによりなされたかどうかを判定する。ユーザＭが閲覧装置１００に設けた適宜の操作手段、例えば左操作キー１０２Ｌ及び右操作キー１０２Ｒの一方により、所定の終了操作を行った場合は、ステップＳ２８５の判定が満たされ、ステップＳ２９０へ移る。ユーザＭが上記の書籍データの表示を終了するための操作を行わない場合は、ステップＳ２８５の判定が満たされず、上記ステップＳ２３５に戻り、同様の手順を繰り返す。
【０１０７】
ステップＳ２９０では、ＣＰＵ１１０が表示部１０１に表示制御信号を出力し、書籍ＢＫの書籍データの表示を終了した旨のメッセージを、表示部１０１に表示させ、このフローが終了する。
【０１０８】
以上説明したように、本実施形態の書籍閲覧サービス提供システムＳでは、ユーザＭが所望の書籍ＢＫを閲覧したい場合は、当該書籍ＢＫと自己の保有する閲覧装置１００とをセットにして、書籍閲覧サービス装置２００へ持参する。すると、リーダアンテナ２０２を用いた無線通信により、書籍閲覧サービス装置２００が、閲覧装置用無線タグＴＶに記憶された装置ＩＤと、書籍用無線タグＴＢに記憶された書籍管理番号とを取得する。書籍閲覧サービス装置２００は、取得された書籍管理番号を用いてデータベース３０１にアクセスし、当該書籍管理番号により特定される書籍データを取得する。そして、書籍閲覧サービス装置２００は、取得された書籍データを、Ｂｌｕｅｔｏｏｔｈ通信制御部２０４からのＢｌｕｅｔｏｏｔｈ通信によって閲覧装置１００へ送信する。このとき、書籍閲覧サービス装置２００は、送信先の閲覧装置１００を特定するために、前述のようにして取得した装置ＩＤを用いる。閲覧装置１００は、上記のようにして入力した書籍データを、表示部１０１で表示することができる。
【０１０９】
以上のようにして、ユーザＭは、所望の書籍ＢＫを選んだ後、その書籍ＢＫと閲覧装置１００とを持参するだけで、閲覧装置１００に対し書籍データの提供を受けることができる。これにより、ユーザＭは、それ以降、閲覧装置１００を用いて当該書籍ＢＫの内容を閲覧することができる。この際、書籍ＢＫは、書籍データの提供後は図書館の元の収納場所、上記の例では書棚１に戻され、実際にユーザＭに対し引き渡される必要はない。したがって、ユーザＭにとっては重い書籍を持ち運ぶ必要がなく、また読むときに痛めたり汚したりしないように等の配慮も必要なくなり、利便性が向上する。図書館の書籍管理者である係員にとっては、書籍ＢＫは実際には引き渡さず電子情報のやりとりだけでサービス提供を行えるので、管理負担が低減する。また、実際の書籍Ｍを係員が取り扱って貸し出し処理や返却処理を行う場合よりも、サービス提供に要する時間を低減できるので、ユーザＭに対する書籍ＢＫの閲覧サービスを効率よく行うことができる。さらに、ユーザＭが、係員の手助けなしに、単独で書籍閲覧サービス装置２００を操作し、書籍データの提供及び書籍データの利用終了の処理を行うこともできる。この場合、図書館の省力化や無人化が可能となる。
【０１１０】
また、本実施形態では特に、書籍用無線タグＴＢが、書籍ＢＫが左綴じ書籍であるか右綴じ書籍であるかを表す左開き／右開きフラグを記憶している。そして、書籍ＢＫの書籍データが閲覧装置１００に提供されるとき、閲覧装置用無線タグＴＶに、当該書籍ＢＫに関する左開き／右開きフラグが書き込まれる。そして、閲覧装置１００が書籍データの表示を行うとき、上記閲覧装置用無線タグＴＶに記憶された左開き／右開きフラグを参照する。そして、右綴じ書籍の書籍データを表示する場合には右側操作キー１０２Ｒにページ送り機能、左側操作キー１０２Ｌにページ戻り機能が割り当てられるとともに、左綴じ書籍の書籍データを表示する場合には左側操作キー１０２Ｌにページ送り機能、右側操作キー１０２Ｒにページ戻り機能が割り当てられる（ステップＳ２２５Ａ及びステップＳ２２５Ｂ参照）。この結果、ユーザＭは、現実の書籍ＢＫのページをめくるのと同様の自然な感覚で書籍データを読み進むことができる。
【０１１１】
また、本実施形態では特に、閲覧装置用無線タグＴＶに対し、書籍データの有効期限情報や書籍管理番号が書き込まれる。閲覧装置１００は、閲覧装置用無線タグＴＶに書き込まれた有効期限情報を参照することにより、ＦｌａｓｈＲＯＭ１０４へ記憶済みの書籍データであっても、有効期限が到来した書籍データについては表示部１０１は表示できなくなる（ステップＳ２０６参照）。これにより、有効期限が、実際の書籍ＢＫの貸し出しにおける返却期限と同様の機能を果たす。また、閲覧に対し課金を行う場合の課金単位として活用することもできる。
【０１１２】
また、ＦｌａｓｈＲＯＭ１０４は、書籍識別情報と書籍データとを関連付けて記憶しており、閲覧装置用無線タグＴＶに書籍識別情報が記憶されていることを条件に、表示部１０１が書籍データの表示を行う。したがって、対応する書籍識別情報が閲覧装置用無線タグＴＶに記憶されていない書籍データは、たとえ書籍データ自体がＦｌａｓｈＲＯＭ１０４内に記憶されていても、表示できない（ステップＳ２０４参照）。この結果、ＦｌａｓｈＲＯＭ１０４に記憶された書籍データを消去しなくても、閲覧装置用無線タグＴＶに記憶された、当該書籍データに対応した書籍識別情報のみを消去すれば、表示部１０１は当該書籍データを表示できなくなる。この結果、ユーザＭによる書籍データの利用終了の申し出があったとき、対応する閲覧装置１００による書籍データの閲覧禁止処理を、容易に実行することができる（ステップＳＳ１７０参照）。また、このようにして書籍データ自体が閲覧装置１００に残っている場合に、ユーザＭが再び当該書籍ＢＫの書籍データの提供を希望する場合があり得る。この場合に、書籍閲覧サービス装置２００は、前述のようにして再び書籍データを閲覧装置１００のＦｌａｓｈＲＯＭ１０４に記憶させるのではなく、閲覧装置用無線タグＴＶに対し書籍管理番号のみを書き込むようにしてもよい。これにより、表示部１０１は、再び当該書籍データを表示することができる。
【０１１３】
なお、本発明の適用範囲は、上記実施形態に限られない。本発明は、趣旨を逸脱しない範囲で、種々の変形が可能である。以下、そのような変形例を説明する。
【０１１４】
（１）閲覧装置用無線タグＴＶが閲覧装置１００を起動する場合
上記実施形態では、図１１に示すフローが実行されるためには、予め、ユーザＭが閲覧装置１００の電源をＯＮにしておく必要があった。本変形例では、閲覧装置用無線タグＴＶがいわゆるセミパッシブタグとしての機能を備え、所定のタイミング（後述）で閲覧装置１００の電源を投入する。これにより、ユーザＭによる電源ＯＮ操作の必要がなくなる。
【０１１５】
図１５に、本変形例において実行される制御手順を表す。このフローでは、前述の図１１のフローに対し、新たにステップＳＶ１５が設けられる。すなわち、ステップＳＶ１０において、閲覧装置用無線タグＴＶが、タグＩＤを含む応答信号をリーダアンテナ２０２に送信したら、新たに設けた上記ステップＳＶ１５に移る。ステップＳＶ１５では、閲覧装置用無線タグＴＶの制御部１５７が、装置本体１００Ａに備えられたバッテリ電源１０６の起電力を利用して、閲覧装置１００の電源をＯＮにし、閲覧装置１００を起動する。それ以降は、図１１と同様の手順であり、説明を省略する。
【０１１６】
なお、閲覧装置用無線タグＴＶが、上記ステップＳＶ１０の後に設けたステップＳＶ１５で閲覧装置１００を起動するのに代えて、ステップＳＶ２０の後に設けたステップＳＶ２５で閲覧装置１００を起動してもよい（図１５中の破線参照）。この場合、閲覧装置用無線タグＴＶが、ステップＳＶ２０において、メモリ部１５５に記憶していた装置ＩＤを含む各種データをリーダアンテナ２０２に送信した後、ステップＳＶ２５に移って閲覧装置１００の電源をＯＮにする。
【０１１７】
本変形例によれば、ステップＳＶ１０又はステップＳＶ２０における閲覧装置用無線タグＴＶの応答後に、自動的に閲覧装置１００の電源が投入される。したがって、ユーザＭは、自ら閲覧装置１００の電源を投入する必要がなく、単に閲覧装置１００と書籍ＢＫとを持って書籍閲覧サービス装置２００に赴けば足りる。この結果、さらにユーザＭの労力負担を低減でき、ユーザの利便性が向上する。
【０１１８】
（２）複数の書籍ＢＫの書籍データを提供する場合
例えば一般的な図書館において現実の書籍ＢＫの貸し出しを受ける場合に、１人のユーザＭが複数冊の書籍ＮＫをまとめて借り受けたい場合がある。本変形例は、この場合と同様、複数の書籍ＢＫの書籍データの提供を希望した場合に対応した例である。すなわち、図１６に示すように、ユーザＭは、この例では３冊の書籍ＢＫを書籍閲覧サービス装置２００に持参する。そして、ユーザＭは、閲覧装置１００と複数の書籍ＢＫとをそれぞれ水平にして、高さ方向に積層して配置する。この場合、上記実施形態と同様、３つの書籍ＢＫそれぞれに設けられた３つの書籍用無線タグＴＢがリーダアンテナ２０２の通信範囲内に位置する。これにより、リーダアンテナ２０２が、上記書籍用無線タグＴＢと無線通信により情報送受信を行う。
【０１１９】
図１７に、本変形例において実行される制御手順を表す。このフローでは、上記のように対象となる書籍ＢＫが複数冊に増加したことに対応して、前述の図１１のフローに対し、新たに、書籍用無線タグＴＢに係わるステップＳＢ４０及びステップＳＢ５０と、閲覧装置用無線タグＴＶに係わるステップＳＢ５０とが設けられる。さらに、前述の図１１のフローに対し、書籍閲覧サービス装置２００に係わるステップＳＳ３５、ステップＳＳ４０、ステップＳＳ６５、ステップＳＳ８０が、新たに設けられる。
【０１２０】
すなわち、図１７において、上記同様、ステップＳＳ１５において、書籍閲覧サービス装置２００のＣＰＵ２１０が、タグＩＤを指定しない問い合わせコマンドを生成して送信すると、通信範囲内に位置する閲覧装置用無線タグＴＶが上記問い合わせコマンドを受信し、ステップＳＶ１０でタグＩＤを含む応答信号をリーダアンテナ２０２に送信する。また、図１６に示すような配置とした場合には、上記ステップＳＳ５において、３つの書籍用無線タグＴＢのうち少なくとも１つが上記問い合わせコマンドを受信し、ステップＳＢ１０において、当該少なくとも１つの書籍用無線タグＴＢが、タグＩＤを含む応答信号をリーダアンテナ２０２に送信する。
【０１２１】
ステップＳＳ１５では、前述したようにＣＰＵ２１０が、上記ステップＳＢ１０及びステップＳＶ１０で取得したタグＩＤを指定した読み取りコマンドを生成し、送信する。すると、この読み取りコマンドを受信した閲覧装置用無線タグＴＶがステップＳＶ２０において装置ＩＤを含む各種データをリーダアンテナ２０２に送信する。また、上記読み取りコマンドを受信した上記少なくとも１つの書籍用無線タグＴＢがステップＳＢ２０において書籍管理番号や左開き／右開きフラグ等の各種データをリーダアンテナ２０２に送信する。
【０１２２】
その後、前述と同様のステップＳＳ２０、ステップＳＳ２５を経て、ステップＳＳ３０において、書籍閲覧サービス装置２００のＣＰＵ２１０が、有効期限等のデータを書籍用無線タグＴＢに送信し、ステップＳＢ３０で当該データがメモリ部１５５に書き込まれる。その後、新たに設けたステップＳＳ３５に移る。
【０１２３】
ステップＳＳ３５では、ＣＰＵ２１０が、無線タグ通信制御部２０７及びリーダアンテナ２０２を介し、上記ステップＳＢ１０で取得したタグＩＤを指定した休眠化コマンドを生成して送信する。これにより、上記のようにして既にステップＳＢ１０及びステップＳＢ２０において応答済みの少なくとも１つの書籍用無線タグＴＢは、上記休眠化コマンドを受信する。これにより、ステップＳＢ４０において、当該少なくとも１つの書籍用無線タグＴＢは、制御部１５７の制御により、休眠化状態となる。すなわち、これら少なくとも１つの書籍用無線タグＴＢは、これ以降、タグアンテナ１５１により上記問い合わせコマンドや上記読み取りコマンドを受信しても、応答信号を送信しない。
【０１２４】
その後、ステップＳＳ４０において、書籍閲覧サービス装置２００のＣＰＵ２１０は、上記ステップＳＢ２０において複数の書籍用無線タグＴＢからそれぞれ取得した複数の書籍管理番号に基づき、対応する複数の書籍データをどのような順番でサーバ３００から取得するかを決定する。ステップＳＢ２０において１つの書籍用無線タグＴＢから１つの書籍管理番号のみ取得した場合には、当該書籍番号に対応する書籍データの順番を第１番とすればよい。
【０１２５】
ＣＰＵ２１０が行う複数の書籍データの順番の決め方は、例えば書籍管理番号の若い順、のように予め定められた規則性に沿って自動的に決めてもよい。また、書籍閲覧サービス装置２００のタッチパネル２０１に複数の書籍管理番号を一覧表示して、ユーザＭが設定してもよい。さらに、前述したように、書籍用無線タグＴＢのメモリ部１５５に巻数情報が記憶され、かつ、上記ステップＳＢ２０で複数の書籍用無線タグＴＢから取得したデータが、同一の書籍ＢＫの別の巻、例えば上巻及び下巻に係わるデータであった場合には、ＣＰＵ２１０はこれら巻数情報を参酌して順番を決定する。すなわち、ＣＰＵ２１０は、例えばまず、上巻に対応する書籍データをサーバ３００から取得し、その後、下巻に対応する書籍データをサーバ３００から取得するように、順番を決定する。なお、このステップＳＳ４０が、各請求項記載の書籍データ設定手段として機能する。
【０１２６】
なお、このような、上巻の書籍データ、下巻の書籍データという順番を予め決めその順番に沿ってサーバ３００から取得する手法以外の手法もある。すなわち、先にサーバ３００からランダムな順序で３つの書籍データ取得した後、閲覧装置１００へＢｌｕｅｔｏｏｔｈ通信により送信するより前に、上巻の書籍データ、下巻の書籍データの順で出力されるように出力順序を設定する手法でもよい。
【０１２７】
その後、ステップＳＳ４５において、ＣＰＵ２１０は、上記ステップＳＳ４０で決定した順序情報を添付して、ステップＳＢ２０で取得した書籍管理番号に対応した書籍データを要求する要求信号をサーバ３００へ出力する。これにより、ステップＳＲ２０において、サーバ３００が、当該書籍管理番号に対応した書籍データを、上記順序情報に対応した順序で出力する。出力された書籍データは、ＣＰＵ２１０により上記出力された順序に沿って取得され、さらに大容量記憶装置２０５へ格納される。
【０１２８】
その後、ステップＳＳ５０、ステップＳＶ３０、ステップＳＳ５５において、Ｂｌｕｅｔｏｏｔｈ通信制御部２０４を介した閲覧装置１００とのＢｌｕｅｔｏｏｔｈ通信接続が確立したら、ステップＳＳ６０へ移る。ステップＳＳ６０では、ＣＰＵ２１０は、上記ステップＳＳ４０で決定した順序に沿って、上記ステップＳＲ２０で取得され大容量記憶装置２０５に格納された書籍データを、閲覧装置１００へ送信開始する。これにより、ステップＳＶ４０において、送信された書籍データは、上記ステップＳＳ４０で決定された順序に沿って閲覧装置１００のＣＰＵ１１０により取得され、さらに当該順序に沿ってＦｌａｓｈＲＯＭ１０４に順次記録されていく。
【０１２９】
そして、新たに設けたステップＳＳ６５に移る。ステップＳＳ６５では、上記ステップＳＳ５と同様、書籍閲覧サービス装置２００のＣＰＵ２１０が、無線タグ通信制御部２０７及びリーダアンテナ２０２を介し、タグＩＤを指定しない問い合わせコマンド、例えばインベントリコマンドを生成して送信する。この結果、通信範囲内にある閲覧装置用無線タグＴＶ及び上記複数の書籍用無線タグＴＢが上記問い合わせコマンドを受信する。この結果、前述のステップＳＶ１０と同様、ステップＳＶ４５において、閲覧装置用無線タグＴＶが、タグＩＤを含む応答信号をリーダアンテナ２０２に送信する。一方、複数の書籍用無線タグＴＢのうち、先にステップＳＢ１０及びステップＳＢ２０において応答をした書籍用無線タグＴＢは、上記ステップＳＢ４０において休眠化しているため、上記のように問い合わせコマンドを受信しても反応しない。複数の書籍用無線タグＴＢのうち未応答のものは休眠化していないため、上記問い合わせコマンドを受信すると、ステップＳＢ５０において、タグＩＤを含む応答信号をリーダアンテナ２０２に送信する。閲覧装置用無線タグＴＶ及び書籍用無線タグＴＢからの応答信号は、前述と同様、リーダアンテナ２０２により受信され、無線タグ通信制御部２０７を介しＣＰＵ２１０により取得される。なお、前述したように、リーダアンテナ２０２の通信周波数は例えばＨＦ帯又はＵＨＦ帯となっているため、ステップＳＳ６０より実行開始されている上記書籍閲覧サービス装置２００と上記閲覧装置１００との間のＢｌｕｅｔｏｏｔｈ通信とは干渉しない。
【０１３０】
その後、前述と同様、ステップＳＲ２０において取得したすべての書籍データの閲覧装置１００への送信が完了したら、ステップＳＳ７０の判定が満たされ、ステップＳＳ７５に移る。ステップＳＳ７５及びステップＳＶ５０において、上記と同様のＢｌｕｅｔｏｏｔｈ通信の切断を行った後、新たに設けたステップＳＳ８０に移る。
【０１３１】
ステップＳＳ８０では、ＣＰＵ２１０が、ステップＳＳ６５での問い合わせコマンドに対応した新たな書籍用無線タグＴＢからの応答信号の送信があったかどうかを判定する。前述したように、ステップＳＳ５における問い合わせコマンドでは応答せず、上記ステップＳＳ６０において書籍データの通信が開始された後のステップＳＳ６５における問い合わせコマンドで応答した書籍用無線タグＴＢがあった場合は、このステップＳＳ８０の判定が満たされる。そして、ステップＳＳ１５に戻り、同様の手順を繰り返す。これにより、ＣＰＵ２１０が、ステップＳＳ１５において、当該新たに応答した書籍用無線タグＴＢから書籍管理番号等を取得し、ステップＳＳ３０において当該書籍用無線タグＴＢに有効期限等を書き込み、ステップＳＳ３５において当該書籍用無線タグＴＢを休眠化させる。そして、ＣＰＵ２１０は、ステップＳＳ４５、ステップＳＲ１０、及びステップＳＲ２０において、上記新たに応答した書籍用無線タグＴＢの書籍管理番号に基づき対応する書籍データをサーバ３００から取得する。そして、ステップＳＳ５０から、ステップＳＶ３０、ステップＳＳ５５、ステップＳＳ６０、ステップＳＶ４０、ステップＳＳ７０、ステップＳＳ７５、ステップＳＶ５０までにおいて接続されるＢｌｕｅｔｏｏｔｈ通信により、上記サーバ３００から取得した書籍データを閲覧装置１００へ提供する。その後、上記ステップＳＳ８０を実行する。
【０１３２】
以上のようにして、複数の書籍用無線タグＴＢのすべてが応答し休眠化したら、ステップＳＳ８０の判定が満たされず、ステップＳＳ８５へ移る。
【０１３３】
ステップＳＳ８５では、前述と同様、ＣＰＵ２１０が、書き込みコマンドを生成し、閲覧装置用無線タグＴＶへ送信する。する。なお、このときの書き込むデータとしては、前述の書籍データの有効期限、書籍管理番号、左開き／右開きフラグのほか、上記ステップＳＳ４０で決定した順番情報も含まれる。これにより、上記図１３のステップＳ２０２において閲覧装置用無線タグＴＶから読み取られる書籍データリストは、上記順番情報に対応して、ＦｌａｓｈＲＯＭ１０４への記録順序に対応した態様とすることができる。
【０１３４】
その後のステップＳＶ６０及びステップＳＳ９０は前述と同様であり、説明を省略する。
【０１３５】
なお、本変形例においては、上記図１６に示したように、リーダアンテナ２０２を水平方向に配置するとともに、閲覧装置１００と複数の書籍ＢＫとをそれぞれ水平にして高さ方向に積層する配置、以外の配置も適用できる。例えば、図１８に示すように、リーダアンテナ２０２を鉛直方向に配置したり、閲覧装置１００と複数の書籍ＢＫを、鉛直方向に積層する配置としてもよい。
【０１３６】
以上説明した本変形例においては、ユーザＭが複数冊の書籍ＢＫの書籍データの提供を希望し、複数冊の書籍ＢＫ及び閲覧装置１００を書籍閲覧サービス装置２００へ持参した場合も、上述した手法により、すべての書籍ＢＫの書籍データを順次閲覧装置１００へ記録することができる。
【０１３７】
このとき、本変形例では特に、上記図１７に示したステップＳＳ６０とステップＳＳ７０との間に、ステップＳＳ６５、ステップＳＢ５０、ステップＳＶ４０を設けている。そして、ステップＳＳ６０より実行開始される書籍閲覧サービス装置２００から閲覧装置１００への書籍データの送信が完了するより前に、ＣＰＵ２１０は、それまで未応答の書籍用無線タグＴＢからのタグＩＤを新たに取得しておく（ステップＳＢ５０参照）。そして、上記出力中の書籍データの出力がステップＳＳ７０において終了した後に、上記新たにタグＩＤを取得した書籍用無線タグＴＢに係わる書籍データをサーバ３００から取得し（ステップＳＲ２０参照）、閲覧装置１００に出力する（ステップＳＳ６０参照）。これにより、複数冊の書籍ＢＫに係わる書籍データを、図１１のシーケンス図の手順を単に複数回繰り返して書籍閲覧サービス装置２００から閲覧装置１００へ送信する場合（後述する）に比べ、時間的に無駄のない効率のよい書籍データの処理を実行することができる。
【０１３８】
また、本変形例では特に、複数の書籍用無線タグＴＢそれぞれに記憶された、同一の書籍ＢＫの別の巻であることを表す巻数情報をＣＰＵ２１０が取得した場合には、ステップＳＳ４０において、その巻数情報の表す序列に沿った順番でステップＳＲ２０において書籍データを取得する。そして、その後、ＣＰＵ２１０は、ステップＳＳ６０において、当該順番に沿って複数の書籍データを順次出力する。これにより、閲覧装置１００は、上記入力した順番で書籍データを順次ＦｌａｓｈＲＯＭ１０４に格納する。そして、複数の書籍データがＦｌａｓｈＲＯＭ１０４に記録されている場合、前述したように、ユーザＭが書籍データを選択するために表示部１０１に表示される書籍データリストは、上記ＦｌａｓｈＲＯＭ１０４への格納順に表示される（図１３参照）。したがって、上記のように１つの書籍ＢＫの上巻、下巻のように分かれて２つの書籍データがＦｌａｓｈＲＯＭ１０４に記録された場合でも、上記書籍データリストは、それら書籍データに関して、上巻、下巻の順で並んで表示を行う。これにより、ユーザは、書籍データリストの表示を並べなおす必要がなくなり、便利である。
【０１３９】
そして、このように巻数情報に対応した順序でＦｌａｓｈＲＯＭ１０４に格納された場合、例えば上巻の最終ページが表示されている状態でページ送りキーを操作すると、自動的に下巻の書籍データが表示される（図１３のステップＳ２７５、ステップＳ２８０参照）。同様に、例えば下巻の最初のページが表示されている状態でページ戻しキーを操作すると、自動的に上巻の書籍データが表示される（図１３のステップＳ２５０、ステップＳ２５５参照）。これにより、ユーザは、現実の書籍ＢＫの上巻や下巻を読むのと同様の自然な感覚で、複数の書籍データを順番に読むことができ、便利である。
【０１４０】
なお、上記のように３冊の書籍ＢＫについての書籍データを閲覧装置１００に対し提供する場合に、ＣＰＵ２１０が、上記図１７に示したシーケンス図の制御を行うのではなく、図１１に示したシーケンス図を単純に３回繰り返して実行するようにしてもよい。この場合、上記図１７のステップＳＳ６５、ステップＳＢ５０、ステップＳＶ４５での制御と異なり、ＣＰＵ２１０は、ステップＳＲ２０で取得した書籍ＢＫの書籍データをステップＳＳ７０で送信完了してシーケンスを終了し、次のシーケンスが再び始まらないと、別の書籍用無線タグＴＢからタグＩＤを取得できない。すなわち、別のタグＩＤの取得が禁止される。したがって、図１１にて表現される上記の機能が、各請求項記載の取得禁止制御手段として機能する。
【０１４１】
上記のように、この例では、ユーザＭが複数冊の書籍ＢＫの書籍データの提供を希望する場合であっても、１つの書籍ＢＫに係わる書籍管理番号の取得（ステップＳＢ２０）から書籍データの閲覧装置１００への出力完了（ステップＳＳ７０）までの一連の処理が終わってから、改めて、次の書籍ＢＫに係わる同様の一連の処理が実行される。これにより、データの誤認識や取り違えなどのない、確実で信頼性の高い書籍データの処理を実行することができる。また、あるユーザＭがリーダアンテナ２０２を用いて書籍用無線タグＴＢや閲覧装置用無線タグＴＶと無線通信を行っているときに、リーダアンテナ２０２が、比較的近くに存在していた別のユーザＭに係わる書籍用無線タグＴＢや閲覧装置用無線タグＴＶと誤って通信を行うのを防止できる。
【０１４２】
（３）その他
以上において、図１１、図１５、図１７に示すステップＳＳ８５において、書籍閲覧サービス装置２００のＣＰＵ２１０が、この時点での日時を基準とした書籍データの有効期限を閲覧装置用無線タグＴＶに書き込む。さらに、このとき、書籍閲覧サービス装置２００のＣＰＵ２１０が、無線タグ通信制御部２０７及びリーダアンテナ２０２を介し、書籍ＢＫに設けた書籍用無線タグＴＢに対し上記有効期限を書き込んでもよい。この場合、例えば、前述のようにして書籍データの提供が終わった後でも、図書館の書籍管理者は、各書籍ＢＫごとに、既に提供済みの書籍データの有効期限を容易に確認することができる。
【０１４３】
なお、以上は、図書館を例にとって説明したが、本発明の適用対象は図書館に限られない。すなわち、図書館以外の書籍貸し出しサービス、例えば、貸本屋、漫画喫茶、オフィス内での書類持ち出し、等に対しても本発明は適用することができる。これらの場合も同様の効果を得る。
【０１４４】
なお、以上に示した図中に示す矢印は信号の流れの一例を示すものであり、信号の流れ方向を限定するものではない。
【０１４５】
また、各図のシーケンスやフローチャートは、本発明を上記フローに示す手順に限定するものではなく、発明の趣旨及び技術的思想を逸脱しない範囲内で手順の追加・削除又は順番の変更等をしてもよい。
【０１４６】
また、以上既に述べた以外にも、上記実施形態や各変形例による手法を適宜組み合わせて利用しても良い。
【０１４７】
その他、一々例示はしないが、本発明は、その趣旨を逸脱しない範囲内において、種々の変更が加えられて実施されるものである。
【符号の説明】
【０１４８】
１００            閲覧装置
１０１            表示部（データ表示手段）
１０２Ｌ          左操作キー（左側操作手段）
１０２Ｒ          右操作キー（右側操作手段）
１０４            ＦｌａｓｈＲＯＭ（データ記憶手段）
２００            書籍閲覧サービス装置
２０２            リーダアンテナ（タグ通信手段）
２０４            Ｂｌｕｅｔｏｏｔｈ通信制御部（データ通信手段）
２０７            無線タグ通信制御部（タグ通信手段）
３００            サーバ
３０１            データベース
ＢＫ              書籍
Ｓ                書籍閲覧サービス提供システム
ＴＢ              書籍用無線タグ
ＴＶ              閲覧装置用無線タグ
【図１】
2011028469.tif 000003
【図２】
2011028469.tif 000004
【図３】
2011028469.tif 000005
【図４】
2011028469.tif 000006
【図５】
2011028469.tif 000007
【図６】
2011028469.tif 000008
【図７】
2011028469.tif 000009
【図８】
2011028469.tif 000010
【図９】
2011028469.tif 000011
【図１０】
2011028469.tif 000012
【図１１】
2011028469.tif 000013
【図１２】
2011028469.tif 000014
【図１３】
2011028469.tif 000015
【図１４】
2011028469.tif 000016
【図１５】
2011028469.tif 000017
【図１６】
2011028469.tif 000018
【図１７】
2011028469.tif 000019
【図１８】
2011028469.tif 000020